(57)【要約】【課題】負荷に電力を提供する電力バスウェイアセンブリを、負荷への電力を維持しながら安全に延長する。【解決手段】  個別のバスウェイセグメントと結合する個別のコネクタセットと、コネクタを選択的に電気的に結合するスイッチングデバイスとを備える電力バスウェイインターポーザ（２２０）は、通電が維持された電力バスウェイアセンブリ（２００）に追加のバスウェイセグメントを結合可能として、電力バスウェイアセンブリ（２００）を延長可能にする。電力バスウェイアセンブリ（２００）を延長することは、電気的に分離された個別のコネクタセットを個別のバスウェイセグメントに結合することと、前記スイッチングデバイスを調整して個別のコネクタセットを電気的に結合し、結合されたバスウェイセグメント間で電力を配分することとを含む。【選択図】図２
2018166013.tif 000002
【特許請求の範囲】
【請求項１】
導電性であり且つ電源から受信した電力で通電されている第１の電力バスウェイセグメントと、
電力バスウェイインターポーザと、
を備えるシステムであって、前記電力バスウェイインターポーザは、
第１のコネクタ遠位端と第１のコネクタ近位端とを備える、第１のコネクタであって、前記第１のコネクタ遠位端は、前記第１のコネクタ近位端に電気的に結合され、前記第１のコネクタ遠位端は、前記第１の電力バスウェイセグメントに電気的に結合され、前記第１のコネクタ近位端は、スイッチングデバイスの第１の端子に電気的に結合される、前記第１のコネクタと、
第２のコネクタ遠位端と第２のコネクタ近位端とを備える、第２のコネクタであって、前記第２のコネクタ遠位端は、前記第２のコネクタ近位端に電気的に結合され、前記第２のコネクタ遠位端は、第２の電力バスウェイセグメントに電気的に結合するように構成され、前記第２のコネクタ近位端は、前記スイッチングデバイスの第２の端子に電気的に結合される、前記第２のコネクタと、
前記第１の端子と前記第２の端子とを備え、調整可能に位置されるように構成される前記スイッチングデバイスであって、前記位置されることは、
前記第１の端子を前記第２の端子に電気的に結合して、前記第１のコネクタ近位端を前記第２のコネクタ近位端に電気的に結合させて、前記第２のコネクタと前記第２の電力バスウェイセグメントとを、前記第２のコネクタ遠位端に接続されたときに前記電力の少なくとも一部で通電する閉位置と、
前記第１の端子を前記第２の端子から電気的に分離して、前記第１のコネクタを前記第２のコネクタから電気的に分離し、前記電力が前記第１の電力バスウェイセグメントから前記第２のコネクタ遠位端へ提供されることを妨げる、前記開位置と、を含む、前記スイッチングデバイスと、
を備える、システム。
【請求項２】
前記電力バスウェイインターポーザは、さらに、前記第１の電力バスウェイセグメントの端部内にスライド可能に挿入される電力バスウェイインターポーザ第１端部を備える、請求項１に記載のシステム。
【請求項３】
前記第１の電力バスウェイセグメントの前記端部内にスライド可能に挿入される前記電力バスウェイインターポーザ第１端部において、前記第１のコネクタ遠位端が、前記第１の電力バスウェイセグメントの内部に位置する第１の電力バスウェイセグメントの母線に電気的に結合される、請求項２に記載のシステム。
【請求項４】
前記電力バスウェイインターポーザは、さらに、前記第２の電力バスウェイセグメントの端部内にスライド可能に挿入されるように構成される電力バスウェイインターポーザ第２端部を備える、請求項１−３のいずれか一項に記載のシステム。
【請求項５】
前記第２の電力バスウェイセグメントの前記端部内にスライド可能に挿入される前記電力バスウェイインターポーザ第２端部において、前記第２のコネクタ遠位端が、前記第２の電力バスウェイセグメントの内部に位置する第２の電力バスウェイの母線に電気的に結合される、請求項４に記載のシステム。
【請求項６】
少なくとも前記第１の電力バスウェイセグメントの端部または前記第２の電力バスウェイセグメントの端部に取り付けられて、前記第１の電力バスウェイセグメントと前記第２の電力バスウェイセグメントの間の電気アークのリスクを軽減するように構成される絶縁要素をさらに備える、請求項１−５のいずれか一項に記載のシステム。
【請求項７】
前記第１のコネクタ遠位端は第１のタップボックスアセンブリを備え、前記第１のタップボックスアセンブリは、前記第１の電力バスウェイセグメントの第１の導電性母線に電気的に結合され、
前記第２のコネクタ遠位端は第２のタップボックスアセンブリを備え、前記第２のタップボックスアセンブリは、前記第２の電力バスウェイセグメントの第２の導電性母線に電気的に結合される、請求項１に記載のシステム。
【請求項８】
前記第１のコネクタ遠位端は、
第１の導体の近位端に電気的に結合される、及び、前記第１の電力バスウェイセグメントに関連する第１の導電性の母線に電気的に結合される、第１の導体の遠位端と、
第２の導体の近位端に電気的に結合される、及び、前記第１の電力バスウェイセグメントに関連する第２の導電性の母線に電気的に結合される、第２の導体の遠位端と、
を備え、
前記第１のコネクタ近位端は、
第１端子の第１端子第１接点と結合される、前記第１の導体の近位端と、
第１端子の第１端子第２接点と結合される、前記第２の導体の近位端と、
を備え、
前記第２のコネクタ遠位端は、
第３の導体の近位端に結合される、及び、前記第２の電力バスウェイセグメントに関連する第３の導電性の母線に電気的に結合されるように構成される第３の導体の遠位端と、
第４の導体の近位端に結合される、及び、前記第２の電力バスウェイセグメントに関連する第４の導電性の母線に電気的に結合されるように構成される第４の導体の遠位端と、
を備え、
前記第２のコネクタ近位端は、
第２端子の第２端子第１接点と結合される、前記第３の導体の近位端と、
前記第２端子の第２端子第２接点と結合される、前記第４の導体の近位端と、
を備える、請求項１に記載のシステム。
【請求項９】
前記スイッチングデバイスの前記閉位置において、
前記第２の電力バスセグメントと関連する前記第３の母線が前記第１の電力バスセグメントの前記第１の母線に電気的に結合されるように、前記第３の導体を前記第１の導体に電気的に結合し、
前記第４の母線が前記第１の電力バスセグメントの前記第２の母線に電気的に結合されるように、前記第４の導体を前記第２の導体に電気的に結合する、
請求項８に記載のシステム。
【請求項１０】
少なくとも１つの通電中の電力バスウェイセグメントと、前記通電中の電力バスウェイセグメントの遠位端に電力バスインターポーザの第１のコネクタを介して電気的に結合された前記電力バスインターポーザと、を備える電力バスウェイアセンブリを延長すること、を備える方法であって、前記延長することは、
追加の電力バスウェイセグメントを、前記追加のバスウェイセグメントの近位端が前記通電中の電力バスウェイセグメントの遠位端に隣接するように位置させることと、
前記追加の電力バスウェイセグメントが非通電であるように、前記電力バスインターポーザの中のスイッチが、前記電力バスインターポーザの第２のコネクタから前記第１のコネクタが電気的に分離されるように調整可能に位置されている間に、前記電力バスインターポーザを、前記追加の電力バスウェイセグメントの前記近位端に、前記第２のコネクタを介して、電気的に結合することと、
前記電力バスインターポーザを前記追加の電力バスウェイセグメントの近位端に結合した後に、前記第１のコネクタを前記第２のコネクタに電気的に結合して、前記少なくとも１つの通電中の電力バスウェイセグメントから前記追加の電力バスウェイセグメントへ電力が供給されることができるように、前記スイッチを調整可能に位置させること、
を備える、方法。
【請求項１１】
前記電力バスウェイインターポーザの第１端部は、前記通電中の電力バスウェイセグメントを前記第１のコネクタと係合させる前記通電中の電力バスウェイセグメントの前記遠位端内に挿入される、請求項１０に記載の方法。
【請求項１２】
前記電力バスウェイインターポーザの第２端部を前記追加の電力バスウェイセグメントの前記近位端に挿入して、前記第２のコネクタを前記第２の電力バスウェイセグメントと係合することをさらに備える、請求項１０または１１に記載の方法。
【請求項１３】
絶縁要素を前記通電中の電力バスウェイセグメントの端部に取り付けることと、
前記追加の電力バスウェイセグメントの端部を前記絶縁要素に取り付けることと、をさらに備え、
前記絶縁要素は、前記通電中のバスウェイセグメント及び前記追加のバスウェイセグメントのそれぞれの端部の間の電気アークのリスクを軽減するように構成される、請求項１０−１２のいずれか一項に記載の方法。
【請求項１４】
少なくとも前記電力の一部分を受信したときに、前記追加の電力バスウェイセグメントは、前記追加の電力バスウェイセグメントに電気的に結合された電気負荷に電力を供給する、請求項１０に記載の方法。
【請求項１５】
前記第１のコネクタを前記第２のコネクタに電気的に接続するために、前記スイッチを調整可能に位置させることは、前記スイッチを、
前記通電中の電力バスウェイセグメントに関連する第１の導電性の母線を、前記追加の電力バスウェイセグメントに関連する第３の導電性の母線に電気的に接続し、
前記通電中の電力バスウェイセグメントに関連する第２の導電性の母線を、前記追加の電力バスウェイセグメントに関連する第４の導電性の母線に電気的に接続する、
ように調整可能に位置させることを備える、請求項１０に記載の方法。
【発明の詳細な説明】
【背景技術】
【０００１】
オンライン小売業者、インターネットサービスプロバイダ、検索プロバイダ、金融機
関、大学、及び、他のコンピューティング集約型組織等の組織は、大規模なコンピュータ
施設からコンピュータ操作を行うことが多い。このようなコンピュータ施設は、組織の運
営を行うのに必要なデータを処理、記憶、及び、交換するために大量のサーバ、ネットワ
ーク、及び、コンピュータ機器を収容、保管している。一般的に、コンピュータ施設のコ
ンピュータ室は、サーバラックを含み得る多くのコンピュータラックを備える。次に、各
コンピュータラックは、多くのコンピュータシステム、サーバ、関連するコンピュータ機
器等を含み得る。
コンピュータ施設のコンピュータ室は、多数のサーバを備え得るので、コンピュータ
施設稼働のために大量の電力を必要とする場合がある。さらに、電力は、コンピュータ室
全体にわたる多数の場所（例えば、互いに離れた多くのラック、及び各ラックの多くのサ
ーバ）に配分される。通常、施設は、相対的に高い電圧で電力供給を受ける。この電力供
給は、低い電圧（例えば、２０８Ｖ）に下げられる。ケーブル、母線、電源コネクタ、及
び、電力配分装置のネットワークを用いて、施設内の多くの特定のコンポーネントにその
低い電圧で電力を届ける。
【０００２】
任意の所与のデータセンタに必要なコンピュータ能力の量はビジネス需要の影響で急速
に変化し得る。ある場所でコンピュータ能力を向上させる需要があることが、ほとんどで
ある。最初にデータセンタにコンピュータ能力を提供し、データセンタの既存の能力を（
例えば、追加のサーバという形で）拡張することは、資源集約的であり、実施するのに何
か月もかかる場合がある。データセンタの設計と構築（または、その拡張）、ケーブルの
配線、ラック、エンクロージャ、及び、そこから廃熱を除去するための冷却ステムの設置
のために、かなりの時間と資源が一般に必要となる。電気システムやＨＶＡＣシステム等
の検査を行い、証明や認可を得るために、追加の時間及び資源が一般に必要である。
【図面の簡単な説明】
【０００３】
【図１】ある実施形態によるとによると、結合された電力バスウェイセグメントからなる電力バスウェイアセンブリが、少なくとも部分的に延在し、タップボックスアセンブリを介して様々なラックコンピュータシステムに電力支援を提供するコンピュータ室の概略斜視図である。
【図２】ある実施形態によるとによると、個別の電力バスウェイセグメントと、その電力バスウェイセグメントを結合する電力バスウェイインターポーザとを備える電力バスウェイアセンブリの概略斜視図である。
【図３】図３Ａ及び図３Ｂは、ある実施形態によるとによると、個別の電力バスウェイコネクタセットとスイッチングデバイスとを介して、個別の電力バスウェイセグメントを結合する電力バスウェイインターポーザを示す。
【図４】ある実施形態によるとによると、通電中の電力バスウェイセグメントと電力バスウェイインターポーザとを示し、電力バスウェイインターポーザは、結合されたタップボックスアセンブリを介して電気負荷への電力配分を維持しながら、通電中の電力バスウェイセグメントを非通電の電力バスウェイセグメントに結合する、概略図である。
【図５】図５Ａ及び図５Ｂは、ある実施形態によると、電圧供給線によって結合された個別のタップボックスアセンブリであって、個別の電力バスウェイセグメントに結合してタップボックスアセンブリと電圧供給線とを介した電力バスウェイセグメント間の電力の配分を可能にするタップボックスアセンブリを備える、電力バスウェイインターポーザを示す。
【図６】ある実施形態によると、スイッチングデバイスコンポーネントを介して結合された個別のタップボックスアセンブリであって、個別の電力バスウェイセグメントに結合して、タップボックスアセンブリとスイッチングデバイスコンポーネントとを介した電力バスウェイセグメント間の電力の配分を可能にするタップボックスアセンブリを備える、電力バスウェイインターポーザを示す。
【図７】ある実施形態によると、電気負荷に電力支援を提供するように電力バスウェイアセンブリを構成することと、電気負荷への電力支援を維持しながら、電力バスウェイアセンブリを延長することを示す。
【０００４】
発明は、様々な修正及び変更形態が可能であるが、発明の具体的な実施形態を一例とし
て、図面に示し、本明細書に詳細に記載する。しかしながら、図面及び図面に関する詳細
な説明は、開示した特定の形態に発明を限定する意図はなく、逆に、添付の請求項で規定
した本発明の精神及び範囲に該当する全ての修正、同等物、及び、代替物を含むものとす
ることは理解されたい。本明細書で使用する見出しは、体系化のためのみに用いており、
明細書や請求項の範囲を限定するために使用する意図はない。本出願書において、「ｍａ
ｙ」という語は、義務的な意味（すなわち、しなければならないことを意味する）ではな
く、許容の意味（すなわち、する可能性を有することを意味する）で用いられる。同様に
、「ｉｎｃｌｕｄｅ」、「ｉｎｃｌｕｄｉｎｇ」、及び、「ｉｎｃｌｕｄｅｓ」と言う語
は、含むが、それに限定されないことを意味する。
【発明を実施するための形態】
【０００５】
通電中の電力バスウェイアセンブリの可逆的調節を可能にする電力バスウェイインター
ポーザの様々な実施形態を開示する。一実施形態によると、データセンタは、通路空間の
一部を通って延在して通路空間の一部にあるラックコンピュータシステム列に電力を配分
する電力バスウェイアセンブリと、ラックコンピュータシステム列への電力配分を維持し
ながら、通路空間の別の部分への電力バスウェイアセンブリの増分的延長を可能にする電
力バスウェイインターポーザと、を備える。電力バスウェイアセンブリは、直列に結合さ
れた複数の電力バスウェイセグメントを含み、電力バスウェイインターポーザは、アセン
ブリの遠位端にある通電中の電力バスウェイセグメントに追加のセグメントを結合して、
アセンブリを延長できる。電力バスウェイインターポーザは、追加の電力バスウェイセグ
メントの非通電状態を維持しながら、非通電の追加の電力バスウェイセグメントを通電中
の電力バスウェイセグメントに結合することを可能にし、結合された通電中電力バスウェ
イセグメントを介して、追加の電力バスウェイセグメントをその後に通電するのを可能に
する。
【０００６】
一実施形態によると、装置は、個別のバスウェイの１つを通して電力の配分を維持しな
がら、個別の電力バスウェイセグメント同士を電気的に結合させる電力バスウェイインタ
ーポーザを備えて、その１つの結合されたバスウェイを通して結合されたバスウェイの別
のバスウェイは、電力を受け取ることができる。電力バスウェイインターポーザは、個別
の電力バスウェイコネクタとスイッチングデバイスとを備える。個別の電力バスウェイコ
ネクタは、それぞれ、個別の電力バスウェイと結合する。スイッチングデバイスは、個別
のコネクタのそれぞれと結合し、そのコネクタを介して個別の結合されたバスウェイ間に
選択的に電力を配分する。
【０００７】
一実施形態によると、方法は、１つまたは複数の電力バスウェイセグメントを含む電力
バスウェイアセンブリを、１つまたは複数の電力バスウェイセグメントの通電を維持しな
がら、増分的に延長するように構成することを含む。電力バスウェイアセンブリのこのよ
うな構成は、電力バスウェイインターポーザの近位のバスウェイコネクタセットを１つま
たは複数の電力バスウェイセグメントに結合することと、少なくとも１つの電力バスウェ
イセグメントを通電した後、遠位のバスウェイコネクタセットに追加の電力バスウェイセ
グメントを結合することと、追加の電力バスウェイセグメントの結合後、インターポーザ
のスイッチングデバイスを調整して近位及び遠位のバスウェイコネクタセットを電気的に
結合することとを含む。電力バスウェイインターポーザは、近位及び遠位のバスウェイコ
ネクタセットと、近位及び遠位のバスウェイコネクタセットを選択的に電気的に結合する
ように構成されたスイッチングデバイスとを備える。スイッチングデバイスを調整して、
近位及び遠位のバスウェイコネクタセットを電気的に結合することによって、電力バスウ
ェイインターポーザは、近位及び遠位のバスウェイコネクタセットを介して、１つまたは
複数の電力バスウェイセグメントから追加の電力バスウェイセグメントに電力を配分する
ことができる。
【０００８】
本明細書で使用される場合、「コンピュータ室」は、ラックマウント式のサーバ等のコ
ンピュータシステムが操作される建物内の部屋を意味する。
【０００９】
本明細書で使用される場合、「データセンタ」は、コンピュータ操作を行う任意の施設
または施設の一部を含む。データセンタは、特定の機能専用の、または、複数の機能を行
うサーバを備えてよい。コンピュータ操作の例は、情報処理、通信、シミュレーション、
及び、動作制御を含む。
【００１０】
本明細書で使用される場合、「動作電力」は、１つまたは複数のコンピュータシステム
コンポーネントが使用できる電力を意味する。動作電力は、電力配分装置で、または、電
力配分装置より下流の要素で下げられてよい。例えば、サーバの電力供給は、動作電圧を
下げてよく（また、交流を直流に整流してよい）。 
【００１１】
本明細書で使用される場合、電力「支援」を提供するは、１つまたは複数の電気負荷を
含む１つまたは複数の下流のシステム及びコンポーネントが利用できる１つまたは複数の
電力供給を提供することを指す。このように提供された電力供給をシステム及びコンポー
ネントが受け取るのを妨げられる場合があるが、システム及びコンポーネントの上流の１
つまたは複数のコンポーネントの配置に少なくとも部分的に基づいて、受け取るのを可能
にしてよい。例えば、予備電源システムは、予備電源システムの下流、負荷の上流にある
切替スイッチによって選択的に電気負荷にルーティングできる予備電力供給を提供するこ
とによって、電気負荷に予備電力支援を提供してよい。ここで、切替スイッチは、主電力
供給に関連付けられた１つまたは複数の条件に少なくとも部分的に基づいて、予備電力供
給または主電力供給を負荷に選択的にルーティングしてよい。
【００１２】
本明細書で使用される場合、「ＰＤＵ」とも称する「電力配分装置」は、電力配分に使
用できる任意のデバイス、モジュール、コンポーネント、または、それらの組み合わせを
意味する。電力配分装置の要素は、（共通のエンクロージャに収容された変圧器及びラッ
ク電力配分装置等の）１つのコンポーネントまたはアセンブリ内で具体化されてもよく、
または、（個別のエンクロージャにそれぞれ収容された変圧器及びラック電力配分装置、
関連するケーブル等の）２つ以上のコンポーネントまたはアセンブリ間に分散されてもよ
い。
【００１３】
本明細書で使用される場合、「フロア電力配分装置」は、コンピュータ室の様々なコン
ポーネントに電力を配分できる電力配分装置を指す。一定の実施形態においては、電力配
分装置は、ｋレート変圧器を含む。電力配分装置は、キャビネット等のエンクロージャに
収容されてよい。
【００１４】
本明細書で使用される場合、「ラック電力配分装置」は、ラックの様々なコンポーネン
トに電力を配分するのに使用できる電力配分装置を指す。ラック電力配分は、配線、母線
、コネクタ、及び、回路ブレーカを含む、様々なコンポーネント及び要素を含んでよい。
【００１５】
本明細書で使用される場合、「コンピュータシステム」は、様々なコンピュータシステ
ム、または、そのコンポーネントの任意のものを含む。コンピュータシステムの一例は、
ラックマウント式サーバである。本明細書で使用される場合、コンピュータという用語は
、当技術分野でコンピュータと称される集積回路だけではなく、幅広く、プロセッサ、サ
ーバ、マイクロコントローラ、マイクロコンピュータ、プログラマブル論理制御装置（Ｐ
ＬＣ）、特定用途向け集積回路、及び、他のプログラマブル回路を指し、これらの用語は
、本明細書では交換可能に使用される。様々な実施形態において、メモリは、ランダムア
クセスメモリ（ＲＡＭ）等のコンピュータ可読媒体を含んでよいが、それに限らない。あ
るいは、コンパクトディスクリードオンリメモリ（ＣＤ‐ＲＯＭ）、磁気光学ディスク（
ＭＯＤ）、及び／または、デジタル多用途ディスク（ＤＶＤ）も使用してよい。また、追
加の入力チャネルは、マウス及びキーボード等のオペレータインタフェースに関連付けら
れたコンピュータ周辺機器を含んでよい。あるいは、例えば、スキャナを含み得る他のコ
ンピュータ周辺機器も使用してよい。さらに、ある実施形態においては、追加の出力チャ
ネルは、オペレータインタフェースモニタ、及び／または、プリンタを含んでよい。
【００１６】
本明細書で使用される場合、「空間」は、空間、エリア、または、体積を意味する。
【００１７】
本明細書で使用される場合、「モジュール」は、コンポーネント、または、互いに物理
的に結合されたコンポーネントの組み合わせである。モジュールは、コンピュータシステ
ム、ラック、送風装置、ダクト、電力配分装置、消火システム、及び、制御システム等の
機能的要素及びシステムと、フレーム、ハウジング、構造、コンテナ等の構造的要素とを
含んでよい。ある実施形態においては、モジュールは、データセンタ外の場所においてプ
レハブ方式で作られる。
【００１８】
本明細書で使用される場合、「ラックコンピュータシステム」は、ラックに取り付けら
れた１つまたは複数のコンピュータ装置を備えるコンピュータシステムを意味する。
【００１９】
本明細書で使用される場合、「バスウェイ」、「バスダクト」等は、電力配分システム
のコンポーネント間に電力を配分する１つまたは複数の母線を含む囲まれたモジュールを
指す。囲まれたモジュールは、プレハブ式であってよく、保護エンクロージャ内に母線を
含むことができる。ある実施形態においては、「バスダクト」及び「バスウェイ」という
用語は、交換可能に使用される。
【００２０】
図１は、ある実施形態によると、コンピュータ室の概略斜視図である。図１においては
、結合された電力バスウェイセグメントからなる電力バスウェイアセンブリは、少なくと
も部分的に延在し、タップボックスアセンブリを介して様々なラックコンピュータシステ
ムに電力支援を提供する。 
【００２１】
データセンタ１００は、コンピュータ室１０１を備え、コンピュータ室１０１は、通路
空間１３０と、通路空間１３０に沿って延びるラック位置１２４の列１３２とを備える。
ここで、ラックコンピュータシステム１２０が、列１３２の一部に設置されて、ラックコ
ンピュータシステム１２０の列を形成する。電力バスウェイアセンブリ１１０は、通路空
間１３０を通って延在し、電源１１６からの電力を配分する。電力バスウェイアセンブリ
１１０は、電力バスウェイアセンブリ１１０の近位端１７１で給電ボックス１１４を介し
て電源１１６に結合され、また、様々な結合済のタップボックス１１８とラックコンピュ
ータシステム１２０の電源インレット１２２に結合された電力ケーブル１１９を介して、
通路空間１３０のラックコンピュータシステム１２０に結合されて、ラックコンピュータ
システム１２０がコンピュータ操作を行うのを可能にする。
【００２２】
電力バスウェイアセンブリ１１０は、１つまたは複数の電力バスウェイセグメント１１
２Ａ、１１２Ｂからなるアセンブリを含む。ここで、各セグメント１１２が、１つまたは
複数の電力母線１１３が取り付けられた内部空間を少なくとも部分的に囲むエンクロージ
ャ１１７を備えて、母線１１３は、各バスウェイセグメント１１２の部分的に囲まれた内
部空間を通って延びる。ある実施形態においては、各セグメント１１２は、標準化された
長さ、幅、高さ等を含む、標準化された寸法を有する。セグメント１１２は、隣り合う端
部１１５を有してよく、端部１１５で、個別の隣り合うセグメントは結合されて、個別の
バスウェイセグメントの母線を電気的に結合してよい。個別のバスウェイセグメントを結
合することは、図１に示すように、隣り合う端部１１５で個別のバスウェイセグメントを
直列に結合して、電力バスウェイアセンブリ１１０を少なくとも部分的に形成することを
含み得る。１つの電力バスウェイセグメント１１２Ｂの端部を、給電ボックス１１４に結
合してよい。本明細書で「近位電力バスウェイセグメント」１１２Ｂと称するこのような
電力バスウェイセグメント１１２Ｂは、アセンブリ１１０の近位端１７１にある給電ボッ
クス１１４を介して電源１１６から電力を受け取り、近位電力バスウェイセグメント１１
２Ｂの１つまたは複数の電力母線１１３で電力を運ぶ。電力バスウェイセグメント１１２
Ａは、１つまたは複数の結合済みのタップボックス１１８、１つまたは複数の他の結合済
の電力バスウェイセグメント１１２Ａ等に電力を配分できる。
【００２３】
ある実施形態においては、電力バスウェイアセンブリ１１０は、近位端１７１の給電ボ
ックス１１４で電源１１６から受け取った電力供給を、アセンブリ１１０に含まれる様々
な母線１１３で運ぶ。電力供給は、動作電力供給、予備電力供給、それらの何らかの組み
合わせ等を含み得る。アセンブリ１１０が隣り合う端部１１５で直列に結合された複数の
セグメント１１２Ａ、１１２Ｂを含む場合、結合済のセグメント１１２の母線１１３同士
を電気的に結合することができて、給電ボックス１１４から遠いアセンブリ１１０の電力
バスウェイセグメント１１２Ａ（「遠位電力バスウェイセグメント」１１２Ａ）が、遠位
セグメント１１２Ａの端部１１５に結合される結合済の電力バスウェイセグメント１１２
Ｂから受け取った電力を運び、給電ボックス１１４からの電力を運ぶ。
【００２４】
１つまたは複数のタップボックス１１８は、アセンブリ１１０の電力バスウェイセグメ
ント１１２の１つまたは複数に結合することができる。ここで、タップボックス１１８の
セグメントへの結合は、タップボックスの電源コネクタを電力バスウェイセグメントの母
線の１つまたは複数に電気的に結合して、タップボックス１１８が、母線１１３からの電
力を配分できるようにすることを含む。タップボックスは、コンピュータ室１０１の１つ
または複数のラックコンピュータシステム１２０の１つまたは複数の電源インレット１２
２に電力ケーブル１１９を介して結合でき、それによって、タップボックス１１８は、結
合済の電力バスウェイセグメント１１２の母線１１３から受け取った電力をタップボック
ス１１８に結合された１つまたは複数の電力ケーブル１１９を介して１つまたは複数のラ
ックコンピュータシステム１２０の電源インレット１２２に配分できる。
【００２５】
ある実施形態においては、コンピュータ室１０１の通路空間１３０に設置されたラック
コンピュータシステム１２０の数は、通路空間１３０に延在する列１３２のラック位置１
２４の数より少なく、その結果、ラックコンピュータシステム１２０は、通路空間１３０
の一部分１８２に延在し、ラックコンピュータシステム１２０が設置されていない利用可
能なラック位置１２４の一セットは、通路空間１３０の別部分１８４に延在する。
【００２６】
ある実施形態においては、電力バスウェイアセンブリ１１０は、ラックコンピュータシ
ステム１２０が設置されている通路空間１３０の部分に延在するように可逆的に構成でき
るので、電力バスウェイアセンブリ１１０が延在する通路空間１３０の部分は、ラックコ
ンピュータシステムが設置されている部分に対応する。結果として、電力バスウェイアセ
ンブリ１１０は、ラックコンピュータシステムが設置されていない通路空間１３０の部分
には延在しなくてよい。
【００２７】
図１に示す実施形態において、例えば、ラックコンピュータシステム１２０が、通路空
間１３０の部分１８４ではなく、部分１８２に設置される場合、電力バスウェイアセンブ
リ１１０は、部分１８４ではなく、部分１８２に延在するように構成できる。結果として
、データセンタ１００に備えられる、電力バスウェイセグメント、タップボックス、母線
等を含む、電力配分インフラストラクチャの量は、設置済みラックコンピュータシステム
１２０に対応する。従って、任意の所与の時間における過剰な電力配分インフラストラク
チャを最小化できる。
【００２８】
ある実施形態においては、電力配分インフラストラクチャの１つまたは複数の実体（in
stances）が、データセンタへの追加のラックコンピュータシステム１２０の増分的な設
置に少なくとも部分的に基づいて、データセンタ１００に増分的に設置される。インフラ
ストラクチャのこのような増分的な設置の結果として、１つまたは複数の電力バスウェイ
アセンブリ１１０の設置済み電力バスウェイセグメント１１２は、セグメント１１２に結
合された１つまたは複数のタップボックス１１８を介して、設置済みラックコンピュータ
システム１２０に電力を配分し、タップボックス１１８が結合されていない余剰なバスウ
ェイセグメント１１２を最小化することができる。
【００２９】
ある実施形態においては、電力配分インフラストラクチャの増分的な設置は、通路空間
１３０の追加の部分に電力バスウェイアセンブリ１１０を増分的に延長して、延長された
電力バスウェイアセンブリ１１０が、追加の部分に設置されたラックコンピュータシステ
ムに電力を配分するように構成されることを含む。電力バスウェイアセンブリ１１０の増
分的延長は、アセンブリ１１０の遠位電力バスウェイセグメント１１２Ａの遠位端１７２
で、追加の電力バスウェイセグメント１４０をアセンブリ１１０に結合することを含み得
る。追加のタップボックス１１８は、追加の電力バスウェイセグメント１４０に結合でき
、給電ボックス１１４で受け取られた電力は、追加の電力バスウェイセグメント１４０を
通ることを含むアセンブリ１１０を通して配分されて、通路空間１３０の追加の部分１８
４に設置されたラックコンピュータシステム１２６に電力支援を提供できる。１つまたは
複数のラックコンピュータシステム１２６を部分１８４の利用可能なラック位置１２４に
設置するという決定に少なくとも部分的に基づいて、追加の電力バスウェイセグメント１
４０は、遠位電力バスウェイセグメント１１２Ａの遠位端でもあり得る電力バスウェイア
センブリ１１０の遠位端に結合することができて、アセンブリ１１０は部分１８４に延長
される。結果として、電力バスウェイアセンブリ１１０を延長して、部分１８４のラック
コンピュータシステム１２６に電力支援を提供できる。
【００３０】
ある実施形態においては、電力バスウェイアセンブリ１１０を延長することは、アセン
ブリ１１０を非通電にすること含み得る、その結果、非通電の追加の電力バスウェイセグ
メント１４０の母線１１３はセグメント１１２Ａの非通電の母線１１３に結合される。非
通電の母線１１３を通電中の母線１１３に結合することは、バスウェイセグメントの結合
を行う操作者に安全上のリスクを負わせる可能性がある。例えば、バスウェイアセンブリ
１１０が、電源１１６からの６００アンペアの電力供給をセグメント１１２Ａ、１１２Ｂ
の母線１１３を通して運んでいる場合、追加のバスウェイセグメント１４０を遠位端１７
２でアセンブリに結合して、追加のバスウェイセグメント１４０の母線１１３をセグメン
ト１１２Ａの通電中の母線１１３に結合することは、結合を行う操作者に大きな安全上の
リスクを負わせる可能性がある。さらに、アセンブリ１１０全体を非通電にすることを含
む、アセンブリ１１０の１つまたは複数のセグメント１１２Ａ、１１２Ｂを非通電にして
、アセンブリ１１０の非通電の母線１１３への追加のセグメント１４０の安全な結合を可
能にすることは、タップボックス１１８を介してセグメント１１２Ａ、１１２Ｂに電気的
に結合されたラックコンピュータシステム１２０への電力支援の損失につながり得る。
【００３１】
図２は、ある実施形態によると、個別の電力バスウェイセグメントと、その電力バスウ
ェイセグメント同士を結合する電力バスウェイインターポーザとを備える、電力バスウェ
イアセンブリの概略斜視図である。
【００３２】
電力バスウェイアセンブリ２００は、電力バスウェイセグメント２１０Ａ、２１０Ｂと
、電力バスウェイインターポーザ２２０とを備える。各電力バスウェイセグメント２１０
Ａ、２１０Ｂは、各エンクロージャ２０２を備え、各エンクロージャ２０２は、内部空間
２０４を少なくとも部分的に囲むことができ、内部空間２０４には、１つまたは複数の様
々な母線２１２Ａ、２１２Ｂが取り付けられている。１つまたは複数の電力バスウェイセ
グメント２１０Ａ、２１０Ｂのエンクロージャ２０２は、金属エンクロージャ、様々な材
料のエンクロージャ等であってよい。様々な材料の１つは、電気的に絶縁された材料であ
ってよい。図示の実施形態においては、内部空間２０４で母線２１２Ａを保持し、母線２
１２Ａをエンクロージャ２０２に結合する取り付け構造２１３は、絶縁体であってよく、
ここで、構造２１３は、少なくとも部分的に、絶縁材で構築、形成等されている。
【００３３】
母線２１２Ａ、２１２Ｂは、１つまたは複数の様々な構成を有し得る。例えば、母線２
１２は、導電材料製の平らなストリップであってよい。他の例においては、母線は、中空
の管構造であってよく、ここで、導電材料は、少なくとも部分的に中空の内部空間を取り
囲む。図２に示す実施形態においては、各母線２１２Ａ、２１２Ｂは、「Ｃ字」型の断面
を有し、ここで、中空の内部空間は、３つの側面で母線の導電材料に囲まれる。このよう
な形の母線は、平らなストリップ母線と比較して、表面積の断面積に対する比を大きくす
ることができて、より効率の良い電力配分が可能になる。電力バスウェイコネクタは、中
空の内部空間に挿入されて、３つの側面の１つまたは複数で母線と物理的に結合できる。
導電材料は、銅、真鍮、アルミニウム等、１つまたは複数の様々な既知の導電材料を含み
得る。
【００３４】
ある実施形態においては、電力バスウェイインターポーザは、個別の電力バスウェイセ
グメントの電気的結合を可能にして、電力バスウェイアセンブリの構築、延長等を行う。
電力バスウェイインターポーザは、個別の電力バスウェイセグメントの個別の母線の１つ
または複数と係合する電力バスウェイコネクタと、コネクタを電気的に結合する１つまた
は複数の回路とを備えてよく、それによって、個別の電力バスウェイセグメントの個別の
母線間でインターポーザを介して電力を配分できる。図示の実施形態においては、例えば
、電力バスウェイインターポーザ２２０は、個別の電力バスウェイコネクタ２２４Ａ、２
２４Ｂを介して、個別の電力バスウェイセグメント２１０Ａ、２１０Ｂのそれぞれの各母
線２１２Ａ、２１２Ｂと係合して、個別のバスウェイセグメント２１０Ａ、２１０Ｂの個
別の母線２１２Ａ、２１２Ｂを電気的に結合して、個別のセグメント２１０Ａ、２１０Ｂ
を電気的に結合し、個別の電力バスウェイセグメント２１０Ａ、２１０Ｂ間での電力配分
を可能にする。
【００３５】
例えば、セグメント２１０Ａが、図１に示すアセンブリ１１０のセグメント１１２Ａを
含む電力バスウェイアセンブリ２００の遠位電力バスウェイセグメントである場合、セグ
メント２１０Ａは、母線２１３の１つまたは複数が電力バスウェイアセンブリ２００の近
位端で電源から受け取った電力供給を運ぶように、通電されてよい。対照的に、電力バス
ウェイセグメント２１０Ｂは、アセンブリ２００の遠位端であり得るセグメント２１０Ａ
の遠位端２１４Ａで遠位電力バスウェイセグメント２１０Ａに結合されてアセンブリ２０
０を延長する追加の電力バスウェイセグメントであってよい。セグメント２１０Ｂの母線
２１２Ｂが、どの電源からも電気的に絶縁され得るので、電力バスウェイセグメント２１
０Ｂは非通電であってよい。隣り合う端部２１４Ａ、２１４Ｂで電力バスウェイセグメン
ト２１０Ａ、２１０Ｂを結合することは、セグメント２１０Ａ、２１０Ｂの各母線２１２
Ａ、２１２Ｂを電気的に結合することを含むことができ、それによって、母線２１２Ａの
１つまたは複数で運ばれる電力は、セグメント２１０Ｂの母線２１２Ｂの１つまたは複数
に配分されて、セグメント２１０Ｂを通電し、１つまたは複数のタップボックス、コネク
タ等を介して母線２１２Ｂに電気的に結合される様々な電気負荷にセグメント２１０Ｂが
電力を配分するのを可能にする。
【００３６】
電力バスウェイインターポーザ２２０は、個別の電力バスウェイコネクタセット２２４
Ａ、２２４Ｂを含み得るハウジング２２２を備える。各セット２２４Ａ、２２４Ｂの各個
別の電力バスウェイコネクタは、個別の母線２１２Ａ、２１２Ｂの中空の内部空間に挿入
されてコネクタを母線に係合させるように構成される。「電気が流れている」または「通
電中」とも称される、母線が電力を運んでいる場合、コネクタ２２４を母線２１２に係合
させることは、コネクタ２２４を母線に電気的に結合させて、母線２１２が運ぶ電力が、
結合されたコネクタ２２４を通して少なくとも部分的に配分されることを含み得る。電気
的に結合するは、電気的接続を確立するとも言うことができる。
【００３７】
電力バスウェイインターポーザ２２０は、個別の電力バスウェイコネクタセット２２４
Ａ、と２２４Ｂを結合する電気回路セット２２６を備える。各回路２２６は、コネクタセ
ット２２４Ａを対応するコネクタセット２２４Ｂに結合して、コネクタ２２４Ａに結合さ
れた母線２１２Ａをコネクタ２２４Ｂに結合された母線２１２Ｂに結合することによって
、個別のセグメント２１０Ａと２１０Ｂを結合する。電力バスウェイコネクタ２２４の１
つが通電中の母線２１２に結合される場合、回路２２６は、対応するコネクタ２２４Ａ、
２２４Ｂ間の電気的接続を確立して、個別の結合済の母線２１２Ａ、２１２Ｂを電気的に
結合することができる。ある実施形態においては、回路２２６は、電力バスウェイセグメ
ント２１０Ａの１つまたは複数の母線２１２の１つまたは複数によって運ばれた電力供給
全体を運ぶように構成される。電力供給全体は、例えば、８００アンペアの電流を含み得
る。
【００３８】
電力バスウェイインターポーザ２２０は、スペーサのセット２２７を備える。各スペー
サ２２７は、インターポーザのコネクタ２２４が個別のセグメント２１０Ａ、２１０Ｂの
母線２１２Ａ、２１２Ｂに結合されると、結合された個別の電力バスウェイセグメント２
１０Ａ、２１０Ｂの個別の隣り合う端部２１４Ａ、２１４Ｂに係合する。個別のセグメン
ト２１０がインターポーザ２２０を介して少なくとも部分的に結合されると、このような
スペーシングによって、隣り合う端部２１４Ａ、２１４Ｂを互いに対して特定の位置に保
持できる。
【００３９】
ある実施形態においては、１つの電力バスウェイセグメント２１０Ａが通電される場合
、電力バスウェイインターポーザ２２０の電力バスウェイコネクタセット２２４Ａを電力
バスウェイセグメント２１０Ａの通電中の母線２１２Ａに結合することは、インターポー
ザ２２０を操作してセグメント２１０Ａに結合する操作者に安全上のリスクを負わせ得る
。さらに、インターポーザ２２０を通電中の電力バスウェイセグメント２１０Ａに結合す
る場合、通電中のセグメント２１０Ａに結合されておらず、追加の非通電の電力バスウェ
イセグメント２１０Ｂを結合できるインターポーザのコネクタ２２４Ｂは、通電中のセグ
メントの母線に結合されたコネクタ２２４Ａと個別のコネクタ２２４Ａ、２２４Ｂを結合
する回路２２６とによって通電され得る。結果として、非通電の電力バスウェイセグメン
ト２１０Ｂを通電中の電力バスウェイセグメント２１０Ａに結合されたインターポーザ２
２０に結合することは、インターポーザ、セグメント等を操作して、それらを結合する操
作者に安全上のリスクを負わせ得る。通電中の電力バスウェイセグメント２１０Ａを非通
電にすることは、安全上のリスクを軽減し得るが、このように非通電にすることは、通電
中の電力バスウェイセグメント２１０Ａが電気的に結合されるラックコンピュータシステ
ムを含む、１つまたは複数の様々な電気負荷への電力支援を失わせ得る。
【００４０】
図３Ａ及び図３Ｂは、ある実施形態によると、個別の電力バスウェイコネクタセットと
スイッチングデバイスを介して個別の電力バスウェイセグメント同士を結合する電力バス
ウェイインターポーザを示す。
【００４１】
電力バスウェイアセンブリ３００は、２つの個別の電力バスウェイセグメント３１０Ａ
、３１０Ｂを備え、電力バスウェイセグメント３１０Ａ、３１０Ｂは、電力バスウェイイ
ンターポーザ３２０によって結合された個別の母線セット３１１Ａと３１１Ｂ、３１２Ａ
と３１２Ｂを備える。
【００４２】
各電力バスウェイセグメント３１０Ａ、３１０Ｂは、エンクロージャ３１９に少なくと
も部分的に囲まれた内部空間３１８に上側母線３１１と下側母線３１２を備える。図示の
実施形態においては、各母線３１１、３１２は、各母線３１１Ａ、３１１Ｂ、３１２Ａ、
３１２Ｂの導電材料によって少なくとも部分的に囲まれた各中空の内部空間３１３、３１
４を備える。
【００４３】
電力バスウェイインターポーザ３２０は、ハウジング３７０内に少なくとも部分的に、
個別の電力バスウェイコネクタセット３２１Ａ、３２１Ｂと、それぞれ、電力バスウェイ
コネクタ３２１の少なくとも１つに結合され、個別のコネクタセット３２１Ａ、３２１Ｂ
の間に少なくとも部分的に延在する回路３２２と、個別の回路３２２に結合され、個別の
コネクタ３２１Ａ、３２１Ｂ間の電気的接続を選択的に確立または終了することができ、
それによって、個別のコネクタ３２１Ａ、３２１Ｂを選択的に電気的に結合するスイッチ
ングデバイス３２４とを備える。
【００４４】
図示の実施形態に示すように、電力バスウェイインターポーザは、個別のバスウェイセ
グメント３１０Ａ、３１０Ｂの内部空間３１８に少なくとも部分的に挿入でき、セグメン
ト３１０Ａ、３１０Ｂの隣り合う端部３７１Ａ、３７１Ｂを介して個別のバスウェイセグ
メント３１０Ａ、３１０Ｂに結合され、その結果、コネクタ３２１Ａ、３２１Ｂは、端部
内にスライド可能に挿入されて、１つまたは複数の個別の母線３１１、３１２とスライド
可能に係合される。バスウェイセグメントの端部にコネクタをスライド可能に挿入するこ
とは、バスウェイの端部にコネクタをスライド可能に挿入することによって、コネクタが
、母線の導電材料に少なくとも部分的に囲まれた中空の内部空間を通ってスライドし、母
線にスライド可能に係合されることを含み得る。図示の実施形態に示すように、例えば、
コネクタ３２１Ａ、３２１Ｂは、隣り合う端部３７１において、母線３１１、３１２の個
別の母線の各端部を通って、母線３１１、３１２の１つの中空の内部空間３１３、３１４
にスライド可能に挿入され、中空の内部空間３１３、３１４を通ってスライド可能に挿入
されて、各電力バスウェイコネクタ３２１を各母線３１１、３１２にスライド可能に係合
（３２５Ａ、３２５Ｂ、３２６Ａ、３２６Ｂ）する。例えば、インターポーザ３２０の上
側コネクタ３２１Ａは、セグメント３１０Ａの端部３７１Ａで、上側母線３１１Ａの中空
の内部空間３１３にスライド可能に挿入されて、コネクタ３２１Ａが、母線３１１Ａにス
ライド可能に係合（３２５Ａ）される。
【００４５】
図示のように、インターポーザ３２０は、交互に配置された個別の電力バスウェイコネ
クタセット３２１Ａ、３２１Ｂを備える。結果として、所与のセット３２１のコネクタは
、電力バスウェイセグメントの長さに沿った異なった水平方向位置で、所与の電力バスウ
ェイセグメント３１０の個別の母線３１１、３１２と結合し、その結果、所与のセット３
２１の個別のコネクタは、インターポーザ３２０が挿入されるセグメントの端部３７１か
ら異なった水平方向距離で、セグメント３１０の個別の母線と結合される。電力バスウェ
イインターポーザ３２０は、スペーサのセット３２８を備え、各スペーサは、インターポ
ーザのコネクタ３２１Ａ、３２１Ｂが個別のセグメント３１０Ａ、３１０Ｂの母線３１１
、３１２に結合されると、結合された個別の電力バスウェイセグメント３１０Ａ、３１０
Ｂの個別の隣り合う端部３７１Ａ、３７１Ｂと係合する。個別のセグメント３１０Ａ、３
１０Ｂがインターポーザ３２０を介して少なくとも部分的に結合される時、このようなス
ペーシングによって、隣り合う端部３７１Ａ、３７１Ｂを互いに対して特定の位置に保持
することができる。ある実施形態においては、スペーサ３２８の１つまたは複数は、電気
的な絶縁要素を含む。
【００４６】
ある実施形態においては、電力バスウェイインターポーザは、インターポーザの個別の
電力バスウェイコネクタを選択的に電気的に結合するスイッチングデバイスを備える。ス
イッチングデバイスは、１つまたは複数の回路ブレーカデバイスを備え得る。図示の実施
形態においては、インターポーザ３２０は、スイッチングデバイスのセット３２４を備え
、スイッチングデバイスは、それぞれ、個別の端部で、個別の回路３２２を介して個別の
電力バスウェイコネクタ３２１Ａ、３２１Ｂに結合される。
【００４７】
各スイッチングデバイス３２４は、１つまたは複数の様々な位置に調整可能に位置して
、スイッチングデバイス３２４の個別の端部に結合される個別の電力バスウェイコネクタ
３２１Ａ、３２１Ｂに選択的に電気的に結合または切り離すことができる。例えば、図示
の実施形態においては、各スイッチングデバイス３２４は、開位置または閉位置に調整可
能に位置してよい。スイッチングデバイス３２４は両方とも開位置で図示されている。ス
イッチングデバイス３２４が開位置にある時、スイッチングデバイス３２４の個別の端部
に結合された個別のコネクタ３２１Ａ、３２１Ｂは、互いに電気的に分離され、その結果
、回路３２２及びスイッチングデバイス３２４を介して、個別のコネクタ３２１Ａ、３２
１Ｂ間に電力を配分できない。スイッチングデバイス３２４が閉位置にある時、スイッチ
ングデバイス３２４の個別の端部に結合された個別のコネクタ３２１Ａ、３２１Ｂは、互
いに電気的に結合され、その結果、回路３２２及びスイッチングデバイス３２４を介して
、個別のコネクタ３２１Ａ、３２１Ｂ間に電力を配分できる。
【００４８】
ある実施形態においては、スイッチングデバイス３２４を備えるインターポーザ３２０
が、電力バスウェイインターポーザ３２０の個別のコネクタセット３２１Ａ、３２１Ｂに
結合された個別の電力バスウェイセグメント３１０Ａ、３１０Ｂ間で電力を選択的に配分
することを可能にする。このような選択的配分によって、例えば、１つのコネクタセット
３２１Ａを１つのバスウェイセグメント３１０Ａによって通電しながら、他のコネクタセ
ット３２１Ｂを、スイッチングデバイス３２４によってコネクタ３２１Ａから電気的に分
離して、非通電にすることが可能になる。結果として、非通電の電力バスウェイセグメン
ト３１０Ｂは、母線３１１Ｂ、３１２Ｂを非通電のコネクタ３２１Ｂに結合することを介
して、インターポーザ３２０に結合されて、非通電の母線を通電中のコネクタに結合する
ことなしに、セグメント３１０Ａと３１０Ｂを結合できる。非通電セグメント３１０Ｂの
母線３１１Ｂ、３１２Ｂがインターポーザ３２０の非通電のコネクタ３２１Ｂに結合され
ることによって、セグメント３１０Ａと３１０Ｂを結合した後、スイッチングデバイス３
２４は、コネクタ３２１Ａと３２１Ｂ間の電気的接続を確立するように調整可能に位置さ
せることができ、それによって、電気的に結合されたコネクタ３２１Ａ、３２１Ｂを介し
てセグメント３１０Ａ、３１０Ｂを電気的に結合し、コネクタ３２１Ｂ、ひいては、セグ
メント３１０Ｂの母線３１１Ｂ、３１２Ｂを通電できる。
【００４９】
結果として、インターポーザ３２０は、個別の電力バスウェイセグメント３１０同士を
結合することを介して、電力バスウェイアセンブリ３００を延長できる。ここで、１つの
セグメント３１０Ａは、アセンブリ３００の通電中の電力バスウェイセグメントであり、
セグメント３１０Ａの通電を維持しながら、追加の非通電セグメント３１０Ｂを非通電イ
ンターポーザコネクタに結合することによって安全上のリスクを軽減し、その後、インタ
ーポーザを介して個別の電力バスウェイセグメント３１０Ａと３１０Ｂを電気的に結合し
て、個別のセグメント３１０Ａと３１０Ｂ間の電力配分を可能にする。
【００５０】
ある実施形態においては、インターポーザ３２０は、個別のセグメント３１０Ａ、３１
０Ｂを電気的に結合できるが、個別のセグメント３１０Ａ、３１０Ｂを互いに対して所定
の位置に保持する完全な構造的支持をその結合に提供せず、部屋の特定の位置にアセンブ
リの個別のセグメント３１０を支持しない。ある実施形態においては、支持要素が、個別
の電力バスウェイセグメント３１０Ａ、３１０Ｂの個別の各エンクロージャ３１９に物理
的に結合して、個別のセグメント３１０Ａ、３１０Ｂを互いに対して特定の位置に保持す
ることを含み得る構造的支持と安定性をセグメント３１０Ａ、３１０Ｂに提供する。図示
の実施形態においては、例えば、支持要素３３０は、結合されたセグメント３１０Ａ、３
１０Ｂに構造的支持と安定性を提供する。要素３３０は、個別のセグメント３１０Ａ、３
１０Ｂの個別のエンクロージャ３１９間に延在する支持ブラケット３３２を備え、結合要
素が、個別のエンクロージャ３１９をブラケット３３２に結合する。結合要素３３６Ａ、
３３６Ｂは、個別のエンクロージャ３１９の構造負荷をブラケット３３２に少なくとも部
分的に移すことができる。アンカー３３４は、ブラケット３３２を固定構造に物理的に結
合する。固定構造は、部屋モジュールの天井モジュール、部屋の構造部材等の１つまたは
複数を含み得る。アンカー３３４は、個別のセグメント３１０Ａ、３１０Ｂのエンクロー
ジャ３１９の構造負荷の少なくとも一部を結合要素３３６Ａ、３３６Ｂとブラケット３３
２とを介して固定構造に移すことができる。
【００５１】
図４は、ある実施形態によると、通電中の電力バスウェイセグメントと、結合された電
力バスウェイインターポーザとを示す概略図である。結合された電力バスウェイインター
ポーザは、結合されたタップボックスアセンブリを介して電気負荷への電力配分を維持し
ながら、通電中の電力バスウェイセグメントを非通電の電力バスウェイセグメントに結合
する。
【００５２】
ある実施形態においては、電力バスウェイインターポーザは、セグメントの近位端に結
合された電源から電力バスウェイセグメントを通電する前に、電力バスウェイセグメント
の遠位端に結合できる。ここで、インターポーザのスイッチングデバイスによって、イン
ターポーザの遠位端にある露出した電力バスウェイコネクタを非通電のままにして、イン
ターポーザの近位端にある電力バスウェイコネクタを通電中のセグメントに結合して通電
することが可能になる。結果として、非通電の電力バスウェイセグメントは、インターポ
ーザの露出した非通電のコネクタに結合することができ、その結果、個別のバスウェイセ
グメント同士は、電気的に分離されたまま、インターポーザを介して物理的に結合される
。非通電のセグメントをインターポーザの遠位端にある非通電のコネクタに結合した後、
インターポーザのスイッチングデバイスを調整して、インターポーザの近位端にあるコネ
クタをインターポーザの遠位端にあるコネクタに電気的に結合することができ、それによ
って、通電中の電力バスウェイセグメントを追加の電力バスウェイに電気的に結合し、通
電中の電力バスウェイセグメントから追加の電力バスウェイセグメントにインターポーザ
を介して電力配分することができ、追加の電力バスウェイセグメントに通電する。
【００５３】
ある実施形態においては、各電力バスウェイセグメントは、セグメントの遠位端に組み
込まれたインターポーザを備える。ここで、追加の電力バスウェイセグメントの近位端は
、個別の電力バスウェイセグメント同士を物理的に結合することによって電気的に結合す
ることによる安全上のリスクを負うことなしに、電力バスウェイアセンブリの通電中の電
力バスウェイセグメントの遠位端に結合できる。
【００５４】
図示の実施形態においては、電力バスウェイアセンブリ４００は、電力バスウェイセグ
メント４１０Ａ及び追加の電力バスウェイセグメント４１０Ｂと、近位端４７４で電力バ
スウェイセグメント４１０の遠位端４７２に結合される電力バスウェイインターポーザ４
３０とを備える。ある実施形態においては、電力バスウェイアセンブリ４００は、図１に
示すアセンブリ１１０の少なくとも一部であってよい。
【００５５】
電力バスウェイセグメント４１０Ａは、セグメント４１０Ａの長さ方向にセグメント４
１０Ａの遠位端４７２の近くの位置まで少なくとも延びる２つの母線４１３Ａを備える。
母線４１３Ａの１つまたは複数は、電源４８０によって通電でき、セグメント４１０Ａの
近位端４７９で受け止めることができる。
【００５６】
ある実施形態においては、１つまたは複数のタップボックスアセンブリ４２０は、電力
バスウェイセグメント４１０に結合されて、母線４１３Ａの１つまたは複数と電気的に結
合し、結合された母線から１つまたは複数の電気負荷に電力を配分できる。図示の実施形
態においては、タップボックスアセンブリ４２０は、結合要素４２３を介して電力バスウ
ェイセグメントのエンクロージャ４１２に結合されるタップボックスハウジング４２２を
備える。バスウェイコネクタ４２４は、タップボックス４２２が結合要素４２３を介して
セグメント４１０Ａに結合されると、バスウェイセグメント４１０Ａの内部空間に挿入さ
れる。コネクタ４２４は、１つまたは複数の個別の結合要素４２５を備え、各結合要素４
２５は、個別の母線４１３Ａと別々に係合して、母線と電気的に結合できて、タップボッ
クスアセンブリ４２０を電力バスウェイセグメント４１０Ａに電気的に結合する。
【００５７】
タップボックスアセンブリ４２０は、１つまたは複数の回路４２８を備え、回路４２８
は、ハウジング４２２とコネクタ４２４を通って延在して、１つまたは複数の結合要素４
２５と結合する。結合された母線４１３Ａから結合要素４２５で受け取られた電力は、１
つまたは複数の回路４２８を介してコネクタ４２４とハウジング４２２を通して配分でき
る。タップボックスアセンブリ４２０は、１つまたは複数の電力ケーブル４２６を備え、
電力ケーブル４２６は、タップボックスハウジングに結合されて、回路４２８に電気的に
結合され、その結果、母線４１３Ａから結合要素４２５で受け取られた電力は、回路４２
５を介して電力ケーブル４２６に配分できる。電力ケーブル４２６は、１つまたは複数の
電気負荷に結合されて、セグメント４１０Ａに電気的に結合されたタップボックスアセン
ブリ４２０を介して、セグメント４１０Ａの母線４１３Ａの１つまたは複数を電気負荷に
電気的に結合できる。ある実施形態においては、回路４２８は、回路ブレーカを含む１つ
または複数のスイッチングデバイスを備えることができ、１つまたは複数のスイッチング
デバイスは、電力ケーブル４２６を介してタップボックスアセンブリ４２０に結合された
電気負荷を電力バスウェイセグメント４１０Ａから選択的に電気的に結合または切り離す
。このようなスイッチングデバイスは、タップボックスハウジング４２２に含まれてよい
。
【００５８】
電力バスウェイアセンブリ４００は、電力バスウェイインターポーザ４３０を備え、電
力バスウェイインターポーザ４３０は、インターポーザ４３０の近位端４７４の近位電力
バスウェイコネクタ４１６を介して、電力バスウェイセグメント４１０Ａにセグメント４
１０Ａの遠位端４７４で結合される。各コネクタ４１６は、セグメント４１０Ａの個別の
母線４１３Ａの１つまたは複数に結合されて、インターポーザ４３０の少なくともコネク
タ４１６を電力バスウェイセグメント４１０Ａに電気的に結合する。
【００５９】
電力バスウェイインターポーザ４３０は、１つまたは複数のスイッチングデバイス４１
５を備え、１つまたは複数のスイッチングデバイス４１５は、インターポーザ４３０の近
位端４７４の近位電力バスウェイコネクタ４１６を、インターポーザ４３０の遠位端の遠
位電力バスウェイコネクタ４１８に結合する。個別のスイッチングデバイス４１５は、そ
れぞれ、個別の近位コネクタ４１６を個別の遠位コネクタ４１８に結合する個別のスイッ
チングデバイスは、個別のコネクタが、スイッチングデバイス４１５の個別の端部に結合
されている個別のコネクタ４１６、４１８をスイッチングデバイス４１５を介して選択的
に電気的に結合または電気的に切り離す（「分離する」）ように調整可能に位置させるこ
とができる。スイッチングデバイス４１５は、１つまたは複数の回路ブレーカデバイスを
備えることができる。電力バスウェイコネクタ４１６が、母線４１３Ａと係合して、イン
ターポーザ４３０を電力バスウェイセグメント４１０Ａに結合する場合、電力バスウェイ
コネクタ４１６は、結合されたセグメント４１０Ａ及びインターポーザ４３０の内部にあ
り得るので、結合されたセグメント４１０Ａ及びインターポーザ４３０の外部からは見え
ず、インターポーザ４３０の遠位端４７６の電力バスウェイコネクタ４１８は、従って、
露出された遠位電力バスウェイコネクタ４１８とも称される。
【００６０】
ある実施形態においては、電力バスウェイセグメント４１０Ａの遠位端４７２に結合さ
れたインターポーザ４３０のスイッチングデバイス４１５は、開位置にあり、その結果、
インターポーザ４３０の少なくとも２つの個別のコネクタ４１６、４１８は、互いに電気
的に分離されて、コネクタのうちの通電中のコネクタは、他のコネクタを通電しない。例
えば、インターポーザ４３０が電力バスウェイセグメント４１０Ａに結合されて、各コネ
クタ４１６がセグメント４１０Ａの個別の母線４１３Ａに結合され、セグメント４１０Ａ
が通電されて、母線４１３Ａが電力供給を運んでいる場合、母線４１３Ａに電気的に結合
されたコネクタ４１６は、母線４１３Ａから電力を受け取って通電されるが、インターポ
ーザ４３０の遠位端４７６のコネクタ４１８の１つまたは複数は、スイッチングデバイス
４１５の１つまたは複数が開位置にあることに少なくとも部分的に基づいて、コネクタ４
１６の１つまたは複数から電気的に分離され、非通電のままである。結果として、追加の
電力バスウェイセグメント４１０Ｂの近位端４７８は、インターポーザ４３０の遠位端４
７６に結合でき、これは、インターポーザ４３０の非通電のコネクタ４１８に係合される
とすぐに、露出した遠位電力バスウェイコネクタ４１８をセグメント４１０Ｂの母線４１
３Ｂに、母線４１３Ｂを通電のために露出させることなしに、結合することを含み得る。
【００６１】
セグメント４１０Ｂをインターポーザ４３０に結合させて、母線４１３Ｂをそれぞれ、
非通電の遠位電力バスウェイコネクタ４１８の１つまたは複数に係合させることに続いて
、スイッチングデバイス４１５の１つまたは複数を閉位置に調整可能に位置させて、個別
のコネクタ４１６、４１８を電気的に結合でき、それによって、セグメント４１０Ａの母
線４１３Ａをセグメント４１３Ｂの母線４１３Ｂに電気的に結合して、母線４１３Ａで運
ばれている電力供給をインターポーザ４３０を介して母線４１３Ｂに配分する。従って、
追加のセグメントは通電され、また、１つまたは複数のタップボックスアセンブリ４２０
を追加の電力バスウェイセグメント４１０Ｂに結合することによって、電力供給を追加の
セグメント４１０Ｂから様々な電気負荷に配分できる。
【００６２】
ある実施形態においては、インターポーザ４３０の近位端は、電源からセグメント４１
０Ａに通電する前に、電力バスウェイセグメント４１０Ａの遠位端４７４に結合される。
例えば、セグメント４１０Ａが他の電力セグメントに結合されて電源から電力を受け取る
場合、インターポーザ４３０は、セグメント４１０Ａが非通電の状態で、１つまたは複数
の近位電力バスウェイコネクタ４１６を１つまたは複数の母線４１３Ａにスライド可能に
係合させて、セグメント４１０Ａの遠位端４７４に結合されてよく、その後、セグメント
４１０Ａは、少なくとも電力バスウェイコネクタ４１６が通電されるように通電されてよ
い。
【００６３】
電力バスウェイインターポーザ４３０が近位端４７４で電力バスウェイセグメント４１
０Ａに結合される場合、電力バスウェイインターポーザ４３０は、電力バスウェイセグメ
ント４１０Ａの遠位端４７２の一部であってよく、その結果、結合されたインターポーザ
４３０の遠位端４７６は、電力バスウェイセグメント４１０Ａの遠位端となる。ある実施
形態においては、電力バスウェイアセンブリ４００の各電力バスウェイセグメントの各遠
位端は、遠位端に組み込まれた電力バスウェイインターポーザを備える。
【００６４】
図５Ａ、図５Ｂは、ある実施形態によると、電圧供給線を介して結合された個別のタッ
プボックスアセンブリを備える電力バスウェイインターポーザを示す。この個別のタップ
ボックスアセンブリは、個別の電力バスウェイセグメントに結合して、タップボックスア
センブリ及び電圧供給線を介して、電力バスウェイセグメント間の電力の配分を可能にす
る。
【００６５】
ある実施形態においては、電力バスウェイインターポーザは、２つの個別のタップボッ
クスアセンブリを備え、２つの個別のタップボックスアセンブリは、電力バスウェイイン
ターポーザに備えられる１つまたは複数のスイッチングデバイスを調整可能に位置させる
ことに少なくとも部分的に基づいて、１つまたは複数の電圧供給線を介して互いに選択的
に電気的に結合されるように構成される。個別のタップボックスアセンブリは、それぞれ
、個別の電力バスウェイセグメントに別々に結合することができ、スイッチングデバイス
は、個別のタップボックスアセンブリ同士を電気的に結合するように調整可能に位置して
、個別の電力バスウェイセグメント同士を電気的に結合することができる。
【００６６】
図５Ａに示す実施形態においては、電力バスウェイインターポーザ５０１は、個別のタ
ップボックスアセンブリ５１０Ａ、５１０Ｂを備え、タップボックスアセンブリ５１０Ａ
、５１０Ｂは、電力ケーブル５３０を介して結合される。電力ケーブル５３０は、個別の
タップボックスアセンブリ５１０Ａ、５１０Ｂの個別のタップボックスハウジング５１２
Ａ、５１２Ｂのそれぞれの個別の電力インタフェース５１８Ａ、５１８Ｂに結合される。
個別のタップボックスアセンブリ５１０Ａ、５１０Ｂは、それぞれ、個別の結合要素５１
６Ａ、５１６Ｂを備え、結合要素５１６Ａ、５１６Ｂは、各タップボックスアセンブリ５
１０Ａ、５１０Ｂを個別の電力バスウェイセグメントの個別のエンクロージャに物理的に
結合できる。結合要素５１６Ａ、５１６Ｂが各エンクロージャに結合されると、各タップ
ボックスアセンブリ５１０Ａ、５１０Ｂのプラグヘッド５１４Ａ、５１４Ｂは、各電力バ
スウェイセグメントのエンクロージャによって少なくとも部分的に囲まれた内部空間内に
延在でき、また、各コネクタの電力バスウェイコネクタ５１５Ａ、５１５Ｂは、エンクロ
ージャの内部空間を通って延びる１つまたは複数の母線と係合できる。１つまたは複数の
回路５１９Ａ、５１９Ｂは、一端で、電力バスウェイコネクタ５１５Ａ、５１５Ｂの１つ
または複数に結合でき、他端で、電力インタフェース５１８Ａ、５１８Ｂに結合でき、そ
の結果、タップボックスアセンブリ５１０Ａ、５１０Ｂの１つまたは複数の電力バスウェ
イコネクタ５１５Ａ、５１５Ｂは、電力ケーブル５３０に電気的に結合できる。本明細書
において、２つの要素を電気的に結合すると言うことは、２つの要素間の電気的接続を確
立するとも言うことができ、これによって、電気的接続を介した２つの要素間の電力配分
が可能になる。ｘｘ一例においては、１つのタップボックスアセンブリ５１０Ａの電力バ
スウェイコネクタ５１５Ａが、母線に電気的に結合する電力バスウェイコネクタ５１５Ａ
を含み得る電力バスウェイセグメントの母線に係合されると、その母線が運ぶ電力は、コ
ネクタ５１５Ａ及び結合された回路５１９Ａに少なくとも部分的に基づいて、各タップボ
ックスアセンブリ５１０Ａのコネクタ５１４Ａ、タップボックスハウジング５１２Ａ、及
び、インタフェース５１８Ａを通して配分できる。電力は、インタフェース５１８Ａから
結合済の電圧供給線５３０を通してさらに配分でき、結合済の個別のタップボックスアセ
ンブリ５１０Ｂを通って、タップボックスアセンブリ５１０Ｂの１つまたは複数のコネク
タ５１５Ｂに電気的に結合された個別の電力バスウェイセグメントの母線に配分できる。
ある実施形態においては、電圧供給線は、１つまたは複数の電力ケーブルを含む。
【００６７】
１つまたは複数のスイッチングデバイスが、タップボックスアセンブリの１つまたは複
数に備えられてよく、ある実施形態においては、スイッチングデバイスは、個別のタップ
ボックスアセンブリ５１０Ａ、５１０Ｂの個別の電力バスウェイコネクタ５１５Ａ、５１
５Ｂを互いに選択的に電気的に結合または分離するように調整可能に位置するよう構成さ
れてよく、それによって、個別のタップボックスアセンブリ５１０Ａ、５１０Ｂがそれぞ
れ別々に結合され得る電力バスウェイセグメント同士を選択的に電気的に結合する。スイ
ッチングデバイスは、回路５１９Ａ、５１９Ｂの１つまたは複数に備えられてよく、ここ
で、スイッチングデバイスは、各回路５１９を選択的に開閉するように調整可能に位置す
るよう構成されてよく、それによって、各回路の個別の端部に結合されたコンポーネント
を選択的に電気的に結合または分離する。ある実施形態においては、スイッチングデバイ
スは、タップボックスアセンブリ５１０Ａ、５１０Ｂのタップボックスハウジング５１２
Ａ、５１２Ｂの１つまたは複数に備えられる。
【００６８】
図５Ｂは、電力バスウェイアセンブリ５００の個別の電力バスウェイセグメント５５０
Ａ、５５０Ｂに結合された電力バスウェイインターポーザ５０１を示す。個別のタップボ
ックスアセンブリ５１０Ａ、５１０Ｂが、それぞれ、個別の結合要素５１６Ａ、５１６Ｂ
を介して、個別の電力バスウェイセグメント５５０Ａ、５５０Ｂの個別のエンクロージャ
に別々に結合されることによって、個別のタップボックスアセンブリ５１０Ａ、５１０Ｂ
のそれぞれの個別のプラグヘッド５１４Ａ、５１４Ｂは、各電力バスウェイセグメント５
５０Ａ、５５０Ｂの内部空間に挿入され、各タップボックスアセンブリ５１０Ａ、５１０
Ｂの１つまたは複数の電力バスウェイコネクタ５１５Ａ、５１５Ｂは、各電力バスウェイ
セグメント５５０Ａ、５５０Ｂの内部空間を通って延びる１つまたは複数の母線５５２Ａ
、５５２Ｂと係合する。結果として、個別の電力バスウェイセグメント５５０Ａ、５５０
Ｂの個別の母線５５２Ａと５５２Ｂは、個別のタップボックスアセンブリ５１０Ａ、５１
０Ｂと１つまたは複数の電力ケーブルを含み得る電圧供給線５３０とを介して結合され、
それによって、個別のタップボックスアセンブリ５１０Ａと５１０Ｂを結合する。
【００６９】
ある実施形態においては、電力バスウェイアセンブリ５００は、図１に示す電力バスウ
ェイアセンブリ１１０に含まれる。例えば、電力バスウェイセグメント５５０Ａは、アセ
ンブリ１１０の遠位電力バスウェイセグメント１１２Ａであってよい。 
【００７０】
図５Ｂに示す実施形態においては、各タップボックスアセンブリ５１０Ａ、５１０Ｂは
、個別のスイッチングデバイスセット５１７Ａ、５１７Ｂを備える。スイッチングデバイ
スセット５１７Ａ、５１７Ｂは、それぞれ、独立して調整可能に位置して、各アセンブリ
５１０Ａ、５１０Ｂの電力バスウェイコネクタ５１５Ａ、５１５Ｂの１つまたは複数を電
圧供給線５３０に選択的に電気的に結合できる。アセンブリ５１０Ａ、５１０Ｂのそれぞ
れのスイッチングデバイス５１７Ａ、５１７Ｂが、個別のタップボックスアセンブリ５１
０Ａ、５１０Ｂの各電力バスウェイコネクタ５１５Ａ、５１５Ｂを電圧供給線５３０に電
気的に結合する閉位置にある場合、個別の電力バスウェイコネクタ５１５Ａと５１５Ｂは
、電気的に結合でき、それによって、個別のコネクタ５１５Ａ、５１５Ｂが電気的に結合
される個別の母線５５２Ａと５５２Ｂを電気的に結合する。
【００７１】
電力バスウェイインターポーザ５０１は、２つ以上の個別の電力バスウェイセグメント
を選択的に電気的に結合することを可能にし得る、その結果、電力バスウェイセグメント
の少なくとも１つの通電を維持しながら、電力を個別の電力バスウェイセグメント間に配
分できる。このような結合は、インターポーザのタップボックスアセンブリの１つを通電
中の電力バスウェイセグメントに結合することを含み得る。ここで、タップボックスアセ
ンブリのスイッチングデバイスは、開位置にあり、その後、電圧供給線を介して第１のタ
ップボックスアセンブリに結合された他のタップボックスアセンブリを非通電の他の個別
の電力バスウェイセグメントに結合する。結合済のタップボックスアセンブリの少なくと
も１つのスイッチングデバイスは、他のタップボックスアセンブリを非通電の電力バスウ
ェイセグメントに結合している間、開位置となり得るので、電力バスウェイインターポー
ザに備えられたタップボックスアセンブリは、他のタップボックスアセンブリが結合され
ている通電中の電力バスウェイセグメントから電気的に分離されていてよい。結果として
、個別の結合済のタップボックスアセンブリを備えるインターポーザは、１つのタップボ
ックスアセンブリが通電中の電力バスウェイセグメントに結合されている場合、結合要素
が非通電の電力バスウェイセグメントの母線に接続している時、非通電であるコネクタと
結合要素を含むタップボックスアセンブリを備えてよい。タップボックスアセンブリを非
通電の電力バスウェイセグメントに結合した後、電力バスウェイインターポーザの１つま
たは複数のスイッチングデバイスは、閉位置に調整可能に位置して、個別のタップボック
スアセンブリの電力バスウェイコネクタ同士を電気的に結合でき、その結果、個別のアセ
ンブリが結合されている個別の母線は、電気的に結合される。結果として、個別の電力バ
スウェイセグメントの１つを通電する場合、個別の電力バスウェイセグメントの個別の母
線を電気的に結合することによって、それぞれ、個別の電力バスウェイセグメントの各電
力バスウェイセグメントに結合されるインターポーザの結合済のタップボックスアセンブ
リを介して、通電中の電力バスウェイセグメントから受け取る電力によって非通電の電力
バスウェイセグメントを通電できる。
【００７２】
例えば、電力バスウェイセグメント５５０Ａが通電していて、電力が母線５５２Ａによ
って運ばれている場合、タップボックスアセンブリ５１０Ａは、結合要素５１６Ａを介し
てセグメント５５０Ａのエンクロージャに物理的に結合して、プラグヘッド５１４Ａはセ
グメント５５０Ａの内部空間に位置し、また、電力バスウェイコネクタ５１５Ａは通電中
の母線５５２Ａと係合するように位置することができ、それによって、電力バスウェイコ
ネクタ５１５Ａを母線５５２Ａに電気的に結合させて、電力バスウェイコネクタ５１５Ａ
を通電する。１つまたは複数のスイッチングデバイス５１７Ａは、開位置にあってよく、
その結果、タップボックスアセンブリ５１０Ｂは、通電中の電力バスウェイコネクタ５１
５Ａから電気的に分離されたままで、電力バスウェイコネクタ５１５Ｂは非通電に終わる
。タップボックスアセンブリ５１０Ａをセグメント５５０Ａに結合後、タップボックスア
センブリ５１０Ｂは、非通電の電力バスウェイセグメント５５０Ｂに結合できて、その結
果、アセンブリ５１０Ｂの非通電の電力バスウェイコネクタ５１５Ｂは、セグメント５５
０Ｂの非通電の母線５５２Ｂに係合される。１つまたは複数のスイッチングデバイス５１
７Ａ、５１７Ｂは、次に、閉位置に調整可能に位置して、タップボックスアセンブリ同士
を電気的に結合でき、それによって、インターポーザ５０１を介した母線５５２Ａから母
線５５２Ｂへの電力配分を可能にして、電力バスウェイセグメント５５０Ｂを通電する。
【００７３】
ある実施形態においては、タップボックスアセンブリを備える電力バスウェイインター
ポーザを介して個別の電力バスウェイセグメントを結合することは、結合された個別の電
力バスウェイセグメントの隣り合う端部間に絶縁要素を取り付けることを含み得る。図示
の実施形態に示すように、個別のタップボックスアセンブリを備える電力バスウェイイン
ターポーザ５０１は、２つのセグメントと共通の高さで２つのセグメント間に延在しない
場合があり、図２〜図４に示すインターポーザ等、隣り合う個別のバスウェイセグメント
等の隣り合う端部を通って延在しない場合があり、２つのセグメント５５０Ａ、５５０Ｂ
より低い高さで個別のセグメント５５０Ａ、５５０Ｂ間に延在する図示のインターポーザ
５０１を含む、個別の高さで個別のセグメント間に延在する。結果として、個別のセグメ
ント５５０Ａ、５５０Ｂの隣り合う端部５５４Ａ、５５４Ｂは、開いた空間によって分か
れ得る。ある実施形態においては、母線５５２Ａ、５５２Ｂ、インターポーザ５０１等を
通して配分される電力供給は、隣り合う端部５５４Ａと５５４Ｂ間で電気アークが起こり
得る十分な電流、電圧等を有する。結果として、絶縁要素５６０が、インターポーザ５０
１によって結合された個別の電力バスウェイセグメント５５０Ａ、５５０Ｂの隣り合う端
部５５４Ａ、５５４Ｂ間に取り付けられて、個別の電力バスウェイセグメントの個別の母
線５５２Ａ、５５２Ｂ間の隣り合う端部５５４Ａ、５５４Ｂを通した電気アークのリスク
を軽減してよい。絶縁要素は、任意の既知の絶縁材を含んでよい。ある実施形態において
は、絶縁要素５６０は、個別の電力バスウェイセグメント５５０Ａ、５５０Ｂの隣り合う
端部５５４Ａ、５５４Ｂの一方または両方に物理的に結合される。ある実施形態において
は、絶縁要素５６０は、電力バスウェイインターポーザ５０１に備えられる。例えば、絶
縁要素は、タップボックスアセンブリ５１０Ａ、５１０Ｂ、電圧供給線５３０等の１つま
たは複数に結合できる。
【００７４】
ある実施形態においては、電力バスウェイインターポーザは、１つの電力バスウェイセ
グメントによって運ばれる電力供給の全てを他の結合された電力バスウェイセグメントに
運ぶように構成される。例えば、電力バスウェイセグメント５５０Ａが、８００アンペア
の電力供給を運んでいる母線５５２Ａを備える場合、インターポーザ５０１は、結合され
た電力バスウェイセグメント５５０Ａ、５５０Ｂ間の８００アンペアの電力供給の全てを
実質的に運ぶように構成でき、その結果、セグメント５５０Ｂの母線５５２Ｂは、８００
アンペアの電力供給の全てを実質的に運ぶ。本明細書において、電力供給の全てを実質的
に運ぶということは、電力供給を運んでいる要素の製造公差及び材料公差の範囲内で電力
供給の全てを運ぶことを含む。
【００７５】
ある実施形態においては、１つまたは複数のタップボックスアセンブリ５１７Ａ、５１
７Ｂは、既に通電中の電力バスウェイセグメントに結合できる。例えば、図示の電力バス
ウェイセグメント５５０Ａは、端部５７９に結合された電源５８０を介して電力を受け取
ることができ、その結果、母線５５２Ａは、通電され、受け取った電力を運ぶ。通電中の
電力バスウェイセグメント５５０Ａは、１つまたは複数のタップボックスアセンブリを介
して、電力を１つまたは複数の電気負荷に配分できる。１つまたは複数のタップボックス
アセンブリは、母線５５２Ａの１つまたは複数と電気的に結合して、結合した母線から１
つまたは複数の電気負荷に電力を配分する。図示の実施形態においては、タップボックス
アセンブリ５２０は、電力バスウェイセグメント５５０Ａのエンクロージャに結合要素５
２３を介して結合されるタップボックスハウジング５２２を備える。バスウェイコネクタ
５２４は、タップボックス５２２を結合要素５２３を介してセグメント５５０Ａに結合す
ると、バスウェイセグメント５５０Ａの内部空間に挿入される。コネクタ５２４は、１つ
または複数の個別の結合要素５２５を備え、各結合要素５２５は、個別の母線５５２Ａと
別々に係合して、その母線と電気的に結合でき、それによって、タップボックスアセンブ
リ５２０を通電中の電力バスウェイセグメント５５０Ａに電気的に結合する。
【００７６】
タップボックスアセンブリ５２０は、ハウジング５２２とコネクタ５２４とを通って延
在して１つまたは複数の結合要素５２５と結合する１つまたは複数の回路５２８を備え、
結合要素５２５で結合した母線５５２Ａから受け取った電力は、１つまたは複数の回路５
２８を介してコネクタ５２４とハウジング５２２とを通して配分できる。タップボックス
アセンブリ５２０は、１つまたは複数の電力ケーブル５２６を備え、電力ケーブル５２６
は、タップボックスハウジングに結合されて、回路５２８に電気的に結合され、その結果
、母線５５２Ａから結合要素５２５で受け取られた電力は、回路５２５を介して電力ケー
ブル５２６に配分できる。電力ケーブル５２６は、１つまたは複数の電気負荷に結合され
て、セグメント５５０Ａに電気的に結合されるタップボックスアセンブリ５２０を介して
、セグメント５５０Ａの母線５５２Ａの１つまたは複数を電気負荷に電気的に結合できる
。ある実施形態においては、回路５２８は、回路ブレーカを含む１つまたは複数のスイッ
チングデバイスを備えることができ、スイッチングデバイスは、電力ケーブル５２６を介
してタップボックスアセンブリ５２０に結合される電気負荷を、電力バスウェイセグメン
ト５５０Ａから選択的に電気的に結合または切り離す。このようなスイッチングデバイス
は、タップボックスハウジング５２２に備えられてよい。
【００７７】
ある実施形態においては、電力バスウェイインターポーザの１つまたは複数のコネクタ
は、通電中の電力バスウェイセグメントの通電中の母線に結合される。電力バスウェイイ
ンターポーザがタップボックスアセンブリを備える場合、通電中の電力バスウェイセグメ
ントとのこのような結合は、タップボックスアセンブリコネクタを電力バスウェイセグメ
ントの通電中の母線に結合することを含み得る。例えば、図示の実施形態においては、電
力バスウェイセグメント５５０Ａが通電中で、通電中の母線５５２Ａから１つまたは複数
の電気負荷にタップボックスアセンブリ５２０を介して電力を配分している場合、インタ
ーポーザ５０１は、タップボックスアセンブリ５１０Ａを通電中のセグメント５５０Ａに
結合することを介して、通電中の電力バスウェイセグメント５５０Ａに結合することがで
きて、その結果、プラグヘッド５１４Ａは、セグメント５５０Ａの内部空間内に位置して
、コネクタ５１５Ａを通電中の母線５５２Ａに係合する。
【００７８】
図６は、ある実施形態によると、スイッチングデバイスコンポーネントを介して結合さ
れた個別のタップボックスアセンブリを備える電力バスウェイインターポーザを示す。個
別のタップボックスアセンブリは、個別の電力バスウェイセグメントに結合して、タップ
ボックスアセンブリとスイッチングデバイスコンポーネントを介して電力バスウェイセグ
メント間の電力配分を可能にする。
【００７９】
電力バスウェイアセンブリ６００は、個別の電力バスウェイセグメント６１０Ａ、６１
０Ｂと、電力バスウェイインターポーザ６２０とを備える。電力バスウェイインターポー
ザ６２０は、インターポーザ６２０の個別のタップボックスアセンブリ６２１Ａ、６２１
Ｂで、個別のセグメント６１０Ａ、６１０Ｂを通って延びる個別の母線セット６１２Ａ、
６１２Ｂと少なくとも部分的に結合することに基づいて、個別のセグメント６１０Ａと６
１０Ｂを結合する。
【００８０】
ある実施形態においては、個別のタップボックスアセンブリを備える電力バスウェイイ
ンターポーザは、個別の端部で個別のタップボックスアセンブリ６２１Ａ、６２１Ｂに結
合されるブリッジ要素６２７と、個別のタップボックスアセンブリ６２１Ａ、６２１Ｂの
電力バスウェイコネクタ６２３Ａ、６２３Ｂの１つまたは複数に電気的に結合できる１つ
または複数の様々な回路６２６Ａ、６２６Ｂとを備える。回路６２６Ａ、６２６Ｂは、そ
れぞれ、一端で、ブリッジ要素６２７に備えられる１つまたは複数のスイッチングデバイ
ス６２８の個別の端部に結合できる。ここで、スイッチングデバイス６２８は、スイッチ
ングデバイス６２８の個別の端部に結合された個別の回路６２６Ａ、６２６Ｂを選択的に
電気的に結合または電気的に分離するように調整可能に位置するよう構成される。結果と
して、スイッチングデバイス６２８は、インターポーザ６２０の個別のタップボックスア
センブリ６２１を選択的に電気的に結合または電気的に分離することができ、それによっ
て、個別の各電力バスウェイコネクタ６２３Ａ、６２３Ｂを介して個別のタップボックス
アセンブリ６２１Ａ、６２１Ｂが結合される個別のバスウェイセグメント６１０Ａ、６１
０Ｂを選択的に電気的に結合することができる。さらに、図示の実施形態に示すように、
タップボックスアセンブリ６２１Ａ、６２１Ｂは、各アセンブリ６２１にスイッチングデ
バイスを備えなくてもよく、スイッチングデバイス６２８の１つのセットが、個別のアセ
ンブリ６２１Ａ、６２１Ｂの電力バスウェイコネクタ６２３Ａ、６２３Ｂを選択的に電気
的に結合するよう調整可能に位置してよい。
【００８１】
ある実施形態においては、ブリッジ要素６２７は、個別のタップボックスアセンブリ６
２１Ａ、６２１Ｂ間に延在する剛性のハウジングである。ここで、ブリッジ要素６２７は
、個別のタップボックスアセンブリ６２１Ａ、６２１Ｂの個別のタップボックスハウジン
グ６２５Ａ、６２５Ｂに両端で結合される。結果として、インターポーザ６２０の個別の
タップボックスアセンブリ６２１Ａ、６２１Ｂは、剛性のブリッジ要素６２７がタップボ
ックスアセンブリ６２１Ａ、６２１Ｂのそれぞれの相対位置を互いに対して固定し得るの
で、個別の電力バスウェイセグメントに同時に結合されてよい。例えば、タップボックス
アセンブリ６２１Ａの結合要素６２４Ａが、電力バスウェイセグメント６１０Ａのエンク
ロージャに結合されて、その結果、プラグヘッド６２２Ａがセグメント６１０Ａの内部空
間内に位置して、電力バスウェイコネクタ６２３Ａが母線６１２Ａの１つまたは複数に係
合するように位置する場合、ブリッジ要素６２７によってアセンブリ６２１Ａに対して固
定の位置に保持される他のタップボックスアセンブリ６２１Ｂは、結合要素６２４Ｂを介
して、電力バスウェイセグメント６１０Ｂのエンクロージャに同時に結合されてよく、そ
の結果、プラグヘッド６２２Ｂは、セグメント６１０Ｂの内部空間内に位置して、電力バ
スウェイコネクタ６２３Ｂは、母線６１２Ｂの１つまたは複数と係合するように位置する
。従って、電力バスウェイコネクタ６２３Ａ、６２３Ｂは、個別の電力バスウェイセグメ
ント６１０Ａ、６１０Ｂの個別の内部空間に同時に位置して、個別の電力バスウェイセグ
メント６１０Ａ、６１０Ｂの個別の各母線６１２Ａ、６１２Ｂと接続できる。
【００８２】
スイッチングデバイス６２８は、個別のバスウェイコネクタ６２３Ａと６２３Ｂを電気
的に分離するように開位置に調整可能に位置してよく、その結果、１つの電力バスウェイ
コネクタセット６２３Ａを通電中の母線６１２Ａに結合しても、電力バスウェイコネクタ
６２３Ｂは通電されない。個別のタップボックスアセンブリ６２１Ａ、６２１Ｂが個別の
電力バスウェイセグメント６１０Ａ、６１０Ｂに結合されて、個別のタップボックスアセ
ンブリ６２１Ａ、６２１Ｂの個別の電力バスウェイコネクタ６２３Ａ、６２３Ｂが、それ
ぞれ、個別の母線セット６１２Ａ、６１２Ｂに結合された後、スイッチングデバイス６２
８は、閉位置に調整可能に位置して、電力バスウェイコネクタ６２３Ａと６２３Ｂをブリ
ッジ要素６２７を介して電気的に結合することができる。結合された母線６１２Ａ、６１
２Ｂの１つを通電する場合、スイッチングデバイス６２８を、閉位置に位置して、個別の
電力バスウェイコネクタ６２３Ａと６２３Ｂを電気的に結合することによって、タップボ
ックスアセンブリ６２１Ａ、６２１Ｂとブリッジ要素６２７とを介して通電中の電力バス
ウェイセグメントから他の電力バスウェイセグメントに電力を配分することに少なくとも
部分的に基づいて、結合された母線６１２Ａ、６１２Ｂの他の１つを通電できる。
【００８３】
ある実施形態においては、絶縁要素６３０は、インターポーザ６２０、電力バスウェイ
セグメント６１０Ａ、６１０Ｂの１つまたは複数の構造負荷の少なくとも一部を支持ブラ
ケット６４２を介して固定構造に移す支持要素６４０、結合要素６４３、アンカー６４４
等の１つまたは複数に含まれる。ある実施形態においては、絶縁要素６３０は、絶縁要素
６３０の両側にある個別の結合要素６３２Ａ、６３２Ｂを介して、個別の電力バスウェイ
セグメント６１０Ａ、６１０Ｂの隣り合う端部と物理的に結合する。
【００８４】
ある実施形態においては、電力バスウェイアセンブリ６００は、図１に示す電力バスウ
ェイアセンブリ１１０に含まれる。例えば, 電力バスウェイセグメント６１０Ａは、アセ
ンブリ１１０の遠位電力バスウェイセグメント１１２Ａであってよい。
【００８５】
図７は、ある実施形態によると、電力バスウェイアセンブリを電気負荷に電力支援を提
供するように構成し、かつ、電気負荷への電力支援を維持しながら、その電力バスウェイ
アセンブリを延長することを示す。電力バスウェイアセンブリを構成することは、図１か
ら図６で上記に示したように、様々な電力バスウェイアセンブリ、セグメント、インター
ポーザ等の１つまたは複数を構成することを含み得る。
【００８６】
７０２において、１つまたは複数の電力バスウェイセグメントが、通路空間の１つまた
は複数の部分を通って延びる電力バスウェイアセンブリを含むように、通路空間に設置さ
れる。電力バスウェイセグメントは、内部空間を少なくとも部分的に囲む１つまたは複数
のエンクロージャを備えてよく、１つまたは複数の母線が、その内部空間を通って延びる
。アセンブリを含む電力バスウェイセグメントは、隣り合う端部で直列に結合された２つ
以上の電力バスウェイセグメントを含み得る。セグメントの１つは、近位電力バスウェイ
セグメントと呼ばれ、通路空間の端部まで延びてよく、そのセグメントの近位端で給電ボ
ックスに結合できる。セグメントの他の１つのセグメントは、遠位電力バスウェイセグメ
ントと呼ばれ、アセンブリの反対側の端部であってよく、また、電力バスウェイアセンブ
リの遠位端でもあり得るそのセグメントの遠位端で終了してよい。
【００８７】
７０４において、電力バスウェイインターポーザは、電力バスウェイインターポーザの
１つまたは複数の電力バスウェイコネクタセットを介して、電力バスウェイアセンブリの
電力バスウェイセグメントに結合される。電力バスウェイインターポーザは、遠位電力バ
スウェイセグメントに結合できる。電力バスウェイインターポーザは、図２、図３に示す
ように、バスウェイの遠位端にスライド可能に挿入されるように構成されて、１つまたは
複数の電力バスウェイコネクタを遠位電力バスウェイセグメントの１つまたは複数の母線
にスライド可能に係合させることができる。電力バスウェイインターポーザは、タップボ
ックスアセンブリを備えてよく、タップボックスアッセンブリは、図５、図６に示すよう
に、バスウェイのエンクロージャに結合されるように構成されて、電力バスウェイセグメ
ントの母線の１つまたは複数に電気的に結合するように１つまたは複数の結合要素を位置
させる。電力バスウェイインターポーザは、１つまたは複数のスイッチングデバイスを備
えることができ、１つまたは複数のスイッチングデバイスは、インターポーザを電力バス
ウェイセグメントに結合するのと同時に開位置にされ、その結果、インターポーザの電力
バスウェイコネクタの少なくとも１つのセットが、インターポーザが結合される電力バス
ウェイセグメントの母線と結合しているコネクタから電気的に分離される。
【００８８】
７０６において、電力バスウェイセグメントの１つまたは複数は、電源に結合される。
結合は、近位端を含む電力バスウェイセグメントの１つまたは複数の端部を給電ボックス
に結合することと、電源に電気的に結合されている電圧供給線に給電ボックスを結合する
こととを含み得る。その結果、電力を電源から、電圧供給線、給電ボックスを通って、電
力バスウェイセグメントに含まれる１つまたは複数の母線に配分できる。
【００８９】
７０８において、電力バスウェイアセンブリの１つまたは複数の電力バスウェイセグメ
ントが通電される。通電は、アセンブリの近位電力バスウェイセグメントの近位端に結合
された給電ボックスを介して、電源から電力バスウェイアセンブリの様々な電力バスウェ
イセグメントに電力を配分することを含み得る。電力バスウェイアセンブリの電力バスウ
ェイセグメントが、それぞれ、直列に結合される場合、電源からの電力は、遠位電力バス
ウェイセグメントを含む様々な電力バスウェイセグメントを通して配分できる。少なくと
も１セットの電力バスウェイコネクタが、遠位電力バスウェイセグメントを含む通電中の
電力バスウェイセグメントの１つまたは複数に結合される場合、通電中の電力バスウェイ
セグメントに係合された少なくとも電力バスウェイコネクタが通電されてよい。電力バス
ウェイインターポーザが、開位置にあるスイッチングデバイスを備えて、通電中の電力バ
スウェイコネクタを他の１つまたは複数の電力バスウェイコネクタから分離している場合
、他の１つまたは複数の電力バスウェイコネクタは、非通電のままであってよい。
【００９０】
７１０〜７１２において、１つまたは複数のタップボックスアセンブリが、電力バスウ
ェイアセンブリの１つまたは複数の通電中の電力バスウェイセグメントに結合され、１つ
または複数の電力ケーブルを介して１つまたは複数の電気負荷に結合されて、電力バスウ
ェイセグメントの通電中の母線の１つまたは複数から１つまたは複数の電気負荷に電力を
配分する。結果として、電力バスウェイアセンブリの電力バスウェイセグメントの１つま
たは複数は、１つまたは複数の電気負荷に電力支援を提供する。電気負荷は、１つまたは
複数のラックコンピュータシステム、電力配分装置、自動切替スイッチ等を含み得る。
【００９１】
７１４において、通路空間の追加の部分に電力バスウェイアセンブリを延長するか否か
に関する決定が行われる。このような決定は、通路空間の追加の部分に電気負荷を設置す
るか否かに関する決定に少なくとも部分的に基づいてよい。通路空間の追加の部分に電気
負荷を設置するという決定は、１つまたは複数の電気負荷が、通路空間に運ぶために入荷
した、通路空間に運ぶために注文された、通路空間に近い場所で受け取られた等を示すも
のを受信することを含み得る。通路空間の追加の部分は、電気負荷及び電力バスウェイア
センブリをそれまでは備えておらず、将来、電気負荷を設置してよい位置を画定する位置
を含んでいてよい。
【００９２】
７１６において、電力バスウェイアセンブリを延長するという決定に少なくとも部分的
に基づいて、追加の電力バスウェイセグメントが、電力バスウェイアセンブリの遠位電力
バスウェイセグメントに近い位置で通路空間に設置できる。絶縁要素は、遠位電力バスウ
ェイセグメントと追加の電力バスウェイセグメントとの隣り合う端部間に取り付けること
ができる。遠位電力バスウェイセグメントの遠位端に隣り合う追加の電力バスウェイセグ
メントの端部は、追加の電力バスウェイセグメントの近位端と称してよい。電力バスウェ
イインターポーザは、追加の電力バスウェイセグメントの反対側の遠位端に結合されてよ
い。追加の電力バスウェイセグメントは、追加の電力バスウェイセグメントの母線、ひい
ては、セグメント自体が非通電であるように、いずれの電源にも電気的に結合されなくて
よい。このような追加の電力バスウェイセグメントは、非通電の追加の電力バスウェイセ
グメントと称してよい。
【００９３】
７１８において、電力バスウェイアセンブリの電力バスウェイセグメントの１つまたは複
数に結合された電力バスウェイインターポーザの１つまたは複数の電力バスウェイコネク
タが、追加の電力バスウェイセグメントに係合される。電力バスウェイコネクタを電力バ
スウェイセグメントに係合することは、電力バスウェイコネクタを電力バスウェイセグメ
ントに含まれる母線に係合することを含む。１つまたは複数の電力バスウェイセグメント
に係合された電力バスウェイコネクタは、遠位電力バスウェイセグメントの１つまたは複
数の通電中の母線と係合した１つまたは複数の通電中の電力バスウェイコネクタから電気
的に分離された１つまたは複数の非通電の電力バスウェイコネクタを含み得る。追加の電
力バスウェイセグメントと係合された電力バスウェイコネクタは、インターポーザの１つ
または複数のスイッチングデバイスを介して、１つまたは複数の通電中の電力バスウェイ
コネクタに結合され、かつ、電気的に分離された１つまたは複数の遠位電力バスウェイコ
ネクタを含み得る。従って、追加の電力バスウェイセグメントが非通電であることに加え
て、追加の電力バスウェイセグメントと係合された電力バスウェイコネクタを非通電にす
ることができる。
【００９４】
７２０において、電力バスウェイインターポーザに備えられた１つまたは複数のスイッ
チングデバイスは、インターポーザの個別の電力バスウェイコネクタを電気的に結合する
ことを介して、追加の電力バスウェイセグメントを遠位電力バスウェイセグメントに電気
的に結合するように、調整可能に位置してよい。遠位電力バスウェイセグメントを通電し
て、遠位電力バスウェイセグメントの母線に係合された電力バスウェイコネクタが通電さ
れる場合、ｘ非通電の追加の電力バスウェイセグメントであり得る追加の電力バスウェイ
セグメントを通電中の遠位電力バスウェイセグメントに電気的に結合するようにスイッチ
ングデバイスを電気的に結合する為にスイッチングデバイスを調整可能に位置させること
によって、電力バスウェイアセンブリからの電力によって追加の電力バスウェイセグメン
トを通電することができ、その結果、電力バスウェイアセンブリの少なくとも遠位電力バ
スウェイセグメントを介して運ばれる電力は、電力バスウェイインターポーザの電気的に
結合された電力バスウェイコネクタを介して、追加の電力バスウェイセグメントの１つま
たは複数の母線に配分される。追加の電力バスウェイセグメントが、少なくとも電力バス
ウェイインターポーザを介して、電力バスウェイアセンブリの遠位電力バスウェイセグメ
ントに結合される場合、通電中の追加の電力バスウェイセグメントは、電力バスウェイに
組み込まれると言ってよく、電力バスウェイアセンブリは、延長されて、追加の電力バス
ウェイセグメントが電力バスウェイアセンブリの新しい遠位電力バスウェイセグメントと
なる。追加の電力バスウェイセグメントを通電することは、電力バスウェイインターポー
ザの１つまたは複数のスイッチングデバイスを閉位置になるように調整可能に位置させて
、通電中の電力バスウェイセグメントの１つまたは複数の母線と係合した１つまたは複数
の電力バスウェイコネクタを追加の電力バスウェイセグメントの１つまたは複数の母線と
結合された１つまたは複数の電力バスウェイコネクタと電気的に結合することを含み得る
。
【００９５】
本開示の実施形態は、以下の条項を考慮して説明できる。
１．データセンタであって、
通路空間であって、前記通路空間の少なくとも一部を通って延在するラックコンピュー
タシステム列を備える前記通路空間と、
前記通路空間の前記少なくとも一部を通って延在し、直列に結合された複数の通電中の
電力バスウェイセグメントを含む通電中の電力バスウェイアセンブリであって、
前記通電中の電力バスウェイアセンブリは、前記電力バスウェイアセンブリの近位端で
電源から受け取った電力を前記ラックコンピュータシステム列に配分するように構成され
、
前記複数の通電中の電力バスウェイセグメントは、前記電力バスウェイアセンブリの遠
位端に通電中の遠位電力バスウェイセグメントを含む、
前記通電中の電力バスウェイアセンブリと、
電力バスウェイインターポーザであって、
前記電力バスウェイアセンブリの前記遠位端で、追加の電力バスウェイセグメントを、
前記通電中の遠位電力バスウェイセグメントから電気的に分離されるように、前記通電中
の遠位電力バスウェイセグメントに結合し、かつ、
前記結合後、前記追加の電力バスウェイセグメントを前記通電中の遠位電力バスウェイ
セグメントに選択的に電気的に結合して、前記追加の電力バスウェイセグメントを通電す
るように
構成された前記電力バスウェイインターポーザと、
を備える、前記データセンタ。
【００９６】
２．前記電力バスウェイインターポーザは、
複数の個別の電力バスウェイコネクタであって、それぞれ、個別の電力バスウェイセグ
メントと結合して、前記追加の電力バスウェイセグメントを前記通電中の遠位電力バスウ
ェイセグメントに結合させるように構成された前記複数の個別の電力バスウェイコネクタ
を備え、
前記複数の個別の電力バスウェイコネクタの各電力バスウェイコネクタは、個別の電力
バスウェイセグメントの端部にスライド可能に挿入されて前記個別の電力バスウェイセグ
メントの少なくとも１つの母線とスライド可能に係合するように構成される、
条項１に記載のデータセンタ。 
【００９７】
３．前記電力バスウェイインターポーザは、 
少なくとも２つの個別のタップボックスアセンブリと、
前記少なくとも２つの個別のタップボックスアセンブリを電気的に結合する少なくとも
１つの電圧供給線と、を備え、
前記追加の電力バスウェイセグメントを前記通電中の遠位電力バスウェイセグメントに
結合させるために、前記電力バスウェイインターポーザは、前記個別のタップボックスア
センブリのそれぞれを、個別の電力バスウェイセグメントに結合するように構成される、
先行条項のいずれかに記載のデータセンタ。
【００９８】
４．前記電力バスウェイインターポーザは、前記追加の電力バスウェイセグメントを前
記通電中の遠位電力バスウェイセグメントに結合して、前記通路空間の少なくとも１つの
追加の部分を通って前記電力バスウェイアセンブリを増分的に延長することを可能にする
、
先行条項のいずれかに記載のデータセンタ。 
【００９９】
５．電力バスウェイインターポーザを備える装置であって、前記電力バスウェイインタ
ーポーザは、少なくとも２つの個別の電力バスウェイセグメント同士を結合して、前記結
合された電力バスウェイセグメントの少なくとも１つを前記結合された電力バスウェイセ
グメントの個別の通電中の電力バスウェイセグメントを介して、選択的に通電するように
構成され、前記電力バスウェイインターポーザは、
少なくとも２つの個別の電力バスウェイコネクタであって、それぞれ、前記少なくとも
２つの個別の電力バスウェイセグメントの個別の電力バスウェイセグメントと結合される
ように構成された前記少なくとも２つの個別のバスウェイコネクタと、
前記少なくとも２つの個別の電力バスウェイコネクタのそれぞれに結合されたスイッチ
ングデバイスであって、前記少なくとも２つの個別の電力バスウェイコネクタを選択的に
電気的に結合して、前記結合した電力バスウェイセグメントの前記少なくとも１つを、前
記結合した電力バスウェイセグメントの前記個別の通電中の電力バスウェイセグメントを
介して、選択的に通電するように構成された前記スイッチングデバイスと、
を備える、前記装置。
【０１００】
６．前記少なくとも２つの個別の電力バスウェイコネクタのそれぞれは、前記少なくと
も２つの個別の電力バスウェイセグメントの個別の電力バスウェイセグメントの端部にス
ライド可能に挿入されて、前記個別の電力バスウェイセグメントの少なくとも１つの母線
にスライド可能に係合するように構成され、前記電力バスウェイインターポーザが、前記
電力バスウェイインターポーザが結合される前記少なくとも２つの個別の電力バスウェイ
セグメントの隣り合う端部間に少なくとも部分的に延在する、条項５に記載の装置。
【０１０１】
７．前記電力バスウェイインターポーザは、
少なくとも２つの個別のタップボックスアセンブリであって、それぞれ、前記少なくと
も２つの個別の電力バスウェイコネクタのうちの個別の１つを備え、かつ、電力バスウェ
イセグメントと結合して、前記個別の電力バスウェイコネクタを前記電力バスウェイセグ
メントの少なくとも１つの母線に結合するように構成された前記少なくとも２つの個別の
タップボックスアセンブリと、
前記少なくとも２つの個別のタップボックスアセンブリ間に少なくとも部分的に延びる
少なくとも１つの電圧供給線と、を備え、
前記少なくとも２つの個別の電力バスウェイコネクタを介して前記少なくとも２つの個
別のバスウェイセグメント間の電力の配分を選択的に可能にするために、前記電力バスウ
ェイインターポーザは、
前記少なくとも２つの個別のタップボックスアセンブリのそれぞれを前記少なくとも２
つの個別のバスウェイセグメントの個別の１つに各電力バスウェイコネクタを介して結合
し、かつ、
前記少なくとも２つの個別のバスウェイセグメント同士を前記個別のタップボックスア
センブリと前記少なくとも１つの電圧供給線を介して選択的に電気的に結合するように、
構成される、条項５または６に記載の装置。
【０１０２】
８．前記電圧供給線は、前記少なくとも２つの個別のタップボックスアセンブリ同士を
結合する電力ケーブルであって、１つのタップボックスアセンブリから別のタップボック
スアセンブリに電力を配分するように構成された前記電力ケーブルを備える、
条項７に記載の装置。
【０１０３】
９．前記電圧供給線は、前記少なくとも２つの個別の電力バスウェイセグメントの少な
くとも１つによって運ばれる電力供給の全てを実質的に運ぶように構成される、条項７に
記載の装置。
【０１０４】
１０．前記少なくとも２つの個別のバスウェイセグメントの隣り合う端部に取り付けら
れて、前記少なくとも２つの個別の電力バスウェイセグメントの前記隣り合う端部間の電
気アークを防ぐように構成された絶縁要素を備える、
条項７に記載の装置。
【０１０５】
１１．前記電力バスウェイインターポーザは、前記少なくとも１つの電力バスウェイセ
グメントを通電する前に、前記少なくとも２つの電力バスウェイセグメントの少なくとも
１つの電力バスウェイセグメントの端部に前記電力バスウェイコネクタの少なくとも１つ
を介して、結合され、
前記電力バスウェイコネクタの少なくとも他の１つは、前記スイッチングデバイスを介
して前記電力バスウェイコネクタの前記少なくとも１つに結合され、
前記少なくとも２つの個別の電力バスウェイコネクタを介して前記少なくとも２つの個
別の電力バスウェイセグメントを選択的に電気的に結合するために、前記電力バスウェイ
インターポーザは、
前記少なくとも１つの電力バスウェイセグメントを通電し、前記スイッチングデバイスを
開位置にすると同時に、前記電力バスウェイコネクタの前記少なくとも他の１つを他の少
なくとも１つの電力バスウェイセグメントの他の端部に結合し、
前記電力バスウェイコネクタの前記少なくとも他の１つを前記他の少なくとも１つの電
力バスウェイセグメントの他の端部に結合した後、前記スイッチングデバイスを閉位置に
調整可能に位置させて、前記通電中の少なくとも１つの電力バスウェイセグメントを前記
他の少なくとも１つの電力バスウェイセグメントに電気的に結合する、
ように構成される、条項５〜１０のいずれかに記載の装置。
【０１０６】
１２．前記電力バスウェイインターポーザは、通路空間に少なくとも１セットの電気負
荷を設置すると同時に、少なくとも２つの個別の電力バスウェイセグメント同士を電気的
に結合して、電力バスウェイアセンブリを延長することによって、前記少なくとも１セッ
トの電気負荷への電力配分を可能にするように構成される、
条項５〜１１のいずれかに記載の装置。 
【０１０７】
１３．通電中の電力バスウェイアセンブリを増分的に延長するように電力バスウェイイ
ンターポーザを構成することを含む方法であって、前記通電中の電力バスウェイアセンブ
リは、少なくとも１つの電力バスウェイセグメントを含み、前記電力バスウェイインター
ポーザは、近位バスウェイコネクタ、遠位電力バスウェイコネクタ、及び、前記近位バス
ウェイコネクタと前記遠位電力バスウェイコネクタを選択的に電気的に結合するように構
成されたスイッチングデバイスを備え、前記構成することは、 
前記電力バスウェイインターポーザの前記近位電力バスウェイコネクタを前記少なくと
も１つの電力バスウェイセグメントに結合することと、
前記近位電力バスウェイコネクタを前記少なくとも１つの電力バスウェイセグメントに
結合した後、前記遠位電力バスウェイコネクタを前記近位電力バスウェイコネクタから電
気的に分離するように前記スイッチングデバイスを位置させるのと同時に、前記遠位電力
バスウェイコネクタを非通電の追加の電力バスウェイセグメントに結合することと、
前記遠位電力バスウェイコネクタを前記非通電の追加の電力バスウェイセグメントに結
合した後、前記スイッチングデバイスを調整可能に位置させて、前記近位電力バスウェイ
コネクタと前記遠位電力バスウェイコネクタを電気的に結合するようにことと、
を含む、前記方法。
【０１０８】
１４．前記近位電力バスウェイコネクタを前記少なくとも１つの電力バスウェイセグメ
ントに結合した後、
前記スイッチングデバイスを調整可能に位置させて、前記遠位電力バスウェイコネクタ
を前記近位電力バスウェイコネクタから電気的に分離することと、
前記少なくとも１つの電力バスウェイセグメントを
前記近位電力バスウェイコネクタが前記少なくとも１つの電力バスウェイセグメントか
らの電力を受け取り、かつ、
前記スイッチングデバイスを介して前記近位電力バスウェイコネクタから電気的に分離
された前記遠位電力バスウェイコネクタを非通電にするように、
通電することと、
を含む、条項１３に記載の方法。
【０１０９】
１５．近位電力バスウェイコネクタを前記少なくとも１つの電力バスウェイセグメント
に結合すること、及び、追加の電力バスウェイセグメントを前記遠位電力バスウェイコネ
クタに結合することは、少なくとも１つの電力バスウェイコネクタを個別のバスウェイセ
グメントの端部に挿入して、前記少なくとも１つの電力バスウェイコネクタを、前記各電
力バスウェイセグメントの内部空間の少なくとも１つの母線にスライド可能に係合するこ
とを含む、
条項１２または１３に記載の方法。
【０１１０】
１６．前記電力バスウェイインターポーザは、
少なくとも２つの個別のタップボックスアセンブリであって、それぞれ、前記近位電力
バスウェイコネクタと前記遠位電力バスウェイコネクタの各１つを備え、個別の電力バス
ウェイセグメントと結合して、前記各電力バスウェイコネクタを前記各電力バスウェイセ
グメントの少なくとも１つの母線に係合させるように構成される、前記少なくとも２つの
個別のタップボックスアセンブリと、
前記少なくとも２つのタップボックスアセンブリ間に少なくとも部分的に延びる少なく
とも１つの電圧供給線と、
を備え、
前記近位電力バスウェイコネクタを前記少なくとも１つの電力バスウェイセグメントに
結合することは、前記近位電力バスウェイコネクタを含むタップボックスアセンブリを前
記少なくとも１つの電力バスウェイセグメントに結合することを含み、
追加の電力バスウェイセグメントを前記遠位電力バスウェイコネクタに結合することは
、前記遠位電力バスウェイコネクタを含む前記他の個別のタップボックスアセンブリを前
記追加の電力バスウェイセグメントに結合することを含む、
条項１３〜１５のいずれかに記載の方法。
【０１１１】
１７．前記電圧供給線は、前記個別のタップボックスアセンブリ同士を電気的に結合す
るように構成された電力ケーブルを含んで、前記電力バスウェイインターポーザが、前記
少なくとも１つの電力バスウェイセグメントから前記追加の電力バスウェイセグメントに
前記電力ケーブルを介して電力を配分するように構成される、
条項１６に記載の方法。
【０１１２】
１８．絶縁要素を前記少なくとも１つの電力バスウェイセグメントの端部に取り付ける
ことと、
前記追加の電力バスウェイセグメントを前記遠位電力バスウェイコネクタに結合する前
に、前記追加の電力バスウェイセグメントの端部を前記絶縁要素に取り付けて、前記絶縁
要素を前記少なくとも１つの電力バスウェイセグメントと前記追加の電力バスウェイセグ
メントの隣り合う端部間の電気アークを防ぐように構成することと、
を含む、条項１６に記載の方法。
【０１１３】
１９．前記電圧供給線は、前記少なくとも１つの電力バスウェイセグメントと前記追加
の電力バスウェイセグメントとの少なくとも１つによって運ばれる前記電力供給の全てを
実質的に運ぶように構成される、条項１６に記載の方法。
【０１１４】
２０．前記通電中の電力バスウェイアセンブリは、ラックコンピュータシステム列を備
えるデータセンタの通路空間の部分を通って延在し、
前記少なくとも１つの電力バスウェイセグメントは、前記ラックコンピュータシステム
列の少なくとも１つのラックコンピュータシステムに電気的に結合されて、前記通電中の
電力バスウェイアセンブリが、前記少なくとも１つの電力バスウェイセグメントを介して
前記少なくとも１つのラックコンピュータシステムに電力を配分するように構成され、
追加のラックコンピュータシステムを前記通路空間の前記追加の部分に設置するという
決定に少なくとも部分的に基づいて、前記電力バスウェイインターポーザを通電中の電力
バスウェイアセンブリを増分的に延長するように構成することは、前記遠位電力バスウェ
イコネクタを非通電の追加の電力バスウェイセグメントに結合させて、前記通電中の電力
バスウェイアセンブリが、前記通路空間の追加の部分を通って延長されて、前記通電中の
電力バスウェイアセンブリが前記追加のラックコンピュータシステムに電力を配分するよ
うに構成することを含む、
条項１３〜１９のいずれかに記載の方法。
【０１１５】
図面に示し、明細書に記載した様々な方法は、方法の例示の実施形態を表す。方法は、
ソフトウェア、ハードウェア、または、その組み合わせで実施されてよい。方法の順序は
変更されてよく、様々な要素が、追加、並べ替え、組み合わせ、省略、修正等されてよい
。
【０１１６】
上記実施形態は、かなり詳細に記載されているが、上記開示を完全に理解すると多くの
変更及び修正が当業者には明らかとなろう。以下の請求項は、このような変更及び修正を
全て含むと解釈するものとする。
【図１】
2018166013.tif 000003
【図２】
2018166013.tif 000004
【図３】
2018166013.tif 000005
【図４】
2018166013.tif 000006
【図５】
2018166013.tif 000007
【図６】
2018166013.tif 000008
【図７】
2018166013.tif 000009
【外国語明細書】
2018166013000001.pdf